(57)【要約】  不具合受信信号伝送機会が検出されるときに、不具合受信信号伝送機会インジケータが上位層に提供されて、無線リソース制御によって実施される測定機能を適応させる測定モデルに基づく、新無線アンライセンス用の無線リソース管理測定が実施される。新無線用の無線リンク監視は、不具合無線リンク監視参照信号伝送機会と組み合わされた推定無線リンク品質に基づいた同期中または同期はずれインジケーションに基づいて実施される。
2021533669.tif 000002
【特許請求の範囲】
【請求項１】
無線リンク監視または無線リンク障害プロセスを実施する装置であって、前記装置は、
プロセッサと、
前記プロセッサに連結されたメモリと、を備え、
前記メモリは、実行可能命令をそれ自体に含み、
前記実行可能命令は、前記プロセッサによって実行されると、前記プロセッサに、
同期中インジケーションまたは同期はずれインジケーションを監視することであって、前記同期中インジケーションまたは前記同期はずれインジケーションは、無線リンク品質に基づく、監視することと、
不具合無線リンク監視参照信号（Radio  Link  Monitoring  Reference  Signal：ＲＬＭ−ＲＳ）伝送機会（Transmission  Opportunity：ＴＸＯＰ）の数を監視することと、
前記不具合ＲＬＭ−ＲＳ  ＴＸＯＰの監視された数と組み合わされた前記監視された同期中インジケーションまたは同期はずれインジケーションに基づいて、無線リンク障害（Radio  Link  Failure：ＲＬＦ）を判断することと、
を含む操作を実施させる、装置。
【請求項２】
前記不具合ＲＬＭ−ＲＳ  ＴＸＯＰの数を監視することは、基地局によって伝送された信号に基づき、前記基地局は、ｇＮＢである、請求項１に記載の装置。
【請求項３】
前記不具合ＲＬＭ−ＲＳ  ＴＸＯＰの数を監視することは、発見参照信号に基づく、請求項１に記載の装置。
【請求項４】
前記不具合ＲＬＭ−ＲＳ  ＴＸＯＰの数を監視することは、チャネルアクセスインジケーション（Channel  Access  Indication：ＣＡＩ）信号に基づく、請求項１に記載の装置。
【請求項５】
前記操作は、利用可能なライセンスバンド下りリンクがあるときに、前記ライセンスバンド下りリンクで取得された下りリンク制御情報（Downlink  Control  Information：ＤＣＩ）に基づいて、前記ＲＬＭ−ＲＳ  ＴＸＯＰの間にアンライセンスチャネルが取得されたかどうかを検出すること、をさらに含む、請求項１に記載の装置。
【請求項６】
前記不具合ＲＬＭ−ＲＳ  ＴＸＯＰの数を監視することは、無線リンク品質が評価される物理層のフレームに基づく、請求項１に記載の装置。
【請求項７】
前記不具合ＲＬＭ−ＲＳ  ＴＸＯＰの数を監視することは、ＴＥｖａｌｕａｔｅ＿ｍｉｓｓｅｄ＿ＴＸＯＰ期間の間に、ＮＭｉｓｓｅｄ＿ＴＸＯＰが受信されるタイミングに基づく、請求項１に記載の装置。
【請求項８】
前記操作は、ＲＬＭ−ＲＳ  ＴＸＯＰに不具合がある場合に、前記ＲＬＭ−ＲＳ  ＴＸＯＰに不具合があったというインジケーションを上位層に提供すること、をさらに含む、請求項１に記載の装置。
【請求項９】
前記操作は、
タイマＴＥｖａｌｕａｔｅ＿ｍｉｓｓｅｄ＿ＴＸＯＰが作動していない間に、不具合ＲＬＭ−ＲＳ  ＴＸＯＰを検出することに基づいて、タイマＴＥｖａｌｕａｔｅ＿ｍｉｓｓｅｄ＿ＴＸＯＰを開始することと、
Ｎｄｅｔｅｃｔｅｄ＿ＴＸＯＰ連続ＲＬＭ−ＲＳ  ＴＸＯＰの間に、ＲＬＭ−ＲＳを検出することに基づいて、タイマＴＥｖａｌｕａｔｅ＿ｍｉｓｓｅｄ＿ＴＸＯＰを停止することと、
タイマＴＥｖａｌｕａｔｅ＿ｍｉｓｓｅｄ＿ＴＸＯＰが作動しているときに、下位層からのＮＭｉｓｓｅｄ＿ＴＸＯＰ連続不具合ＲＬＭ−ＲＳ  ＴＸＯＰインジケーションを受信して、無線リンク障害があると判断することと、
をさらに含む、請求項１に記載の装置。
【請求項１０】
ＴＥｖａｌｕａｔｅ＿ｍｉｓｓｅｄ＿ＴＸＯＰ、ＮＭｉｓｓｅｄ＿ＴＸＯＰ、またはＮｄｅｔｅｃｔｅｄ＿ＴＸＯＰは、ＲＲＣシグナリングによってシグナリングされる、請求項９に記載の装置。
【請求項１１】
前記操作は、
下位層からのＮＭｉｓｓｅｄ＿ＴＸＯＰ連続不具合ＲＬＭ−ＲＳ  ＴＸＯＰインジケーションを受信することに基づいて、タイマＴＥｖａｌｕａｔｅ＿ｍｉｓｓｅｄ＿ＴＸＯＰを開始することと、
下位層からのＮｄｅｔｅｃｔｅｄ＿ＴＸＯＰ連続ＲＬＭ−ＲＳ  ＴＸＯＰの間にＲＬＭ−ＲＳを検出することに基づいて、タイマＴＥｖａｌｕａｔｅ＿ｍｉｓｓｅｄ＿ＴＸＯＰを停止することと、
タイマＴＥｖａｌｕａｔｅ＿ｍｉｓｓｅｄ＿ＴＸＯＰが停止されず、タイマＴＥｖａｌｕａｔｅ＿ｍｉｓｓｅｄ＿ＴＸＯＰが満了するときに、無線リンク障害があると判断することと、
をさらに含む、請求項１に記載の装置。
【請求項１２】
前記無線リンク障害を検出することは、さらに、下位層からのＰＣｅｌｌに関する連続同期はずれインジケーションの最大数を受信することに基づく、請求項１に記載の装置。
【請求項１３】
同期中インジケーションまたは同期はずれインジケーションを監視することであって、前記同期中インジケーションまたは前記同期はずれインジケーションは、無線リンク品質に基づく、監視することと、
不具合無線リンク監視参照信号（ＲＬＭ−ＲＳ）伝送機会（ＴＸＯＰ）の数を監視することと、
前記不具合ＲＬＭ−ＲＳ  ＴＸＯＰの監視された数と組み合わされた前記監視された同期中インジケーションまたは同期はずれインジケーションに基づいて、無線リンク障害（ＲＬＦ）を検出することと、
を含む方法。
【請求項１４】
タイマＴＥｖａｌｕａｔｅ＿ｍｉｓｓｅｄ＿ＴＸＯＰが作動していない間に、不具合ＲＬＭ−ＲＳ  ＴＸＯＰを検出することに基づいて、タイマＴＥｖａｌｕａｔｅ＿ｍｉｓｓｅｄ＿ＴＸＯＰを開始することと、
Ｎｄｅｔｅｃｔｅｄ＿ＴＸＯＰ連続ＲＬＭ−ＲＳ  ＴＸＯＰの間に、ＲＬＭ−ＲＳを検出することに基づいて、タイマＴＥｖａｌｕａｔｅ＿ｍｉｓｓｅｄ＿ＴＸＯＰを停止することと、
タイマＴＥｖａｌｕａｔｅ＿ｍｉｓｓｅｄ＿ＴＸＯＰが停止されず、タイマＴＥｖａｌｕａｔｅ＿ｍｉｓｓｅｄ＿ＴＸＯＰが満了するときに、無線リンク障害があると判断することと、
をさらに含む、請求項１３に記載の方法。
【請求項１５】
前記不具合ＲＬＭ−ＲＳ  ＴＸＯＰの数を監視することは、基地局によって伝送された信号に基づき、前記基地局は、ｇＮＢである、請求項１３に記載の方法。
【請求項１６】
前記不具合ＲＬＭ−ＲＳ  ＴＸＯＰの数を監視することは、発見参照信号に基づく、請求項１３に記載の方法。
【請求項１７】
前記不具合ＲＬＭ−ＲＳ  ＴＸＯＰの数を監視することは、チャネルアクセスインジケーション（ＣＡＩ）信号に基づく、請求項１３に記載の方法。
【請求項１８】
利用可能なライセンスバンド下りリンクがあるときに、前記ライセンスバンド下りリンクで取得された下りリンク制御情報（ＤＣＩ）に基づいて、前記ＲＬＭ−ＲＳ  ＴＸＯＰの間にアンライセンスチャネルが取得されたかどうかを検出すること、をさらに含む、請求項１３に記載の方法。
【請求項１９】
前記不具合ＲＬＭ−ＲＳ  ＴＸＯＰの数を監視することは、無線リンク品質が評価される物理層のフレームに基づく、請求項１３に記載の方法。
【請求項２０】
コンピュータプログラムがそれ自体に記憶されているコンピュータ可読記憶媒体であって、前記コンピュータプログラムは、データ処理ユニットにロード可能であり、また前記コンピュータプログラムは、前記データ処理ユニットによって実行されると、前記データ処理ユニットに、請求項１３から１９のいずれか１項に記載の方法ステップを実行させるように適応されている、コンピュータ可読記憶媒体。
【発明の詳細な説明】
【技術分野】
【０００１】
（関連出願の相互参照）
本出願は、２０１８年８月８日に出願の米国特許仮出願番号第６２／７１６，０２０号、表題「ＮＲ−Ｕ用のＲＬＭおよびＲＲＭ測定プロシージャ」の利点を請求し、その内容は、参照により本明細書に援用される。
【背景技術】
【０００２】
第３世代パートナーシッププロジェクト（3rd  Generation  Partnership  Project：３ＧＰＰ）は、無線アクセス、コアトランスポートネットワーク、およびサービス能力（符復号化、セキュリティ、およびサービス品質に作用するものを含む）を含む、セルラー電気通信ネットワーク技術向けに、技術的規格を策定している。最近の無線アクセス技術（Radio  Access  Technology：ＲＡＴ）規格は、ＷＣＤＭＡ（登録商標）（一般に、３Ｇと称される）、ＬＴＥ（一般に、４Ｇと称される）、およびＬＴＥ−アドバンスト規格を含む。３ＧＰＰは、「５Ｇ」とも称される、新無線（New  Radio：ＮＲ）と呼ばれる、次世代セルラー技術の標準化への取り組みを開始している。
【発明の概要】
【０００３】
新無線アンライセンス（New  Radio  Unlicensed：ＮＲ−Ｕ）では、ＮＲ  ＮｏｄｅＢ（例えば、ｇＮＢ）が、チャネルを取得できず、伝送機会（Transmission  Opportunity：ＴＸＯＰ）の間に下りリンク参照信号（Downlink  Reference  Signal：ＤＬ−ＲＳ）を伝送することができない場合がある。ユーザ端末（User  Equipment：ＵＥ）が、妨げられているＴＸＯＰの間に、ＤＬ−ＲＳを測定しようとする場合、ＤＬ−ＲＳがｇＮＢによって伝送されていないために、ＵＥ測定は、誤って計算される可能性がある。これにより、無線リンク監視（Radio  Link  Monitoring：ＲＬＭ）測定量が誤ったものになる場合があり、ｇＮＢがチャネルを取得して測定のために参照信号を送信でき、リンク品質が良好である可能性がある場合であっても、同期はずれ（ｏｕｔ−ｏｆ−ｓｙｎｃ）であるとＵＥが宣言する原因となる場合がある。また、これにより、計算された無線リソース管理（Radio  Resource  Management：ＲＲＭ）測定量も誤ったものになり、測定イベントの検出の誤り、または不具合の原因となる可能性もある。したがって、妨げられているＤＬ−ＲＳ  ＴＸＯＰなどに対処するＮＲ−Ｕ用のＲＬＭおよびＲＲＭ測定プロシージャの拡張が必要とされる。
【０００４】
一態様において、ＮＲ−Ｕ用のＲＲＭ測定を実施する方法について本明細書で開示するが、これは、不具合ＲＳ  ＴＸＯＰが検出されるときに、不具合ＲＳ  ＴＸＯＰインジケータが上位層に提供されて、無線リソース制御（Radio  Resource  Control：ＲＲＣ）によって実施される測定機能を適応させることができる測定モデルに基づくものである。
【０００５】
別の態様においては、不具合ＲＬＭ−ＲＳ  ＴＸＯＰと組み合わされた推定無線リンク品質に基づいた同期中（ｉｎ−ｓｙｎｃ）または同期はずれインジケーションに基づいて、ＮＲ−Ｕ用のＲＬＭを実施する方法について本明細書で開示する。
【０００６】
本概要は、下記にさらに記載される発明を実施するための形態を簡略化した形式で、概念の選択を紹介するために提示される。本概要は、請求される主題の主要な特徴または実質的な特徴を特定したり、あるいは請求される主題の範囲を限定するために使用されることを意図していない。さらに、請求される主題は、本開示のいずれかの部分に記載されている、いずれかのまたは全ての不利点を解決する制限にも制約されない。
【０００７】
（図面の簡単な説明）
より詳細な理解は、添付図面と併せて、例として挙げられる以下の説明から得ることが可能である。
【図面の簡単な説明】
【０００８】
【図１】図１は、ＮＲ測定モデルを示す。
【図２】図２は、無線リンク障害（Radio  Link  Failure：ＲＬＦ）を示す。
【図３】図３は、帯域幅適応（Bandwidth  Adaption：ＢＡ）の例である。
【図４】図４は、ＮＲ−Ｕ  ＲＬＭ／ＲＬＦモデルを示す。
【図５】図５は、ＮＲ−Ｕ  ＲＬＭ／ＲＬＦモデルを示す。
【図６】図６は、ＮＲ−Ｕ測定モデルを示す。
【図７】図７は、ＲＬＭおよびＲＲＭ測定を実装する例示的方法を示す。
【図８】図８は、モビリティシグナリング負荷低減の方法、システムおよびデバイスに基づいて生成され得る、例示的ディスプレイ（例えば、グラフィカルユーザインターフェース）を示す。
【図９Ａ】図９Ａは、例示的通信システムを示す。
【図９Ｂ】図９Ｂは、ＲＡＮおよびコアネットワークを含む例示的システムを示す。
【図９Ｃ】図９Ｃは、ＲＡＮおよびコアネットワークを含む例示的システムを示す。
【図９Ｄ】図９Ｄは、ＲＡＮおよびコアネットワークを含む例示的システムを示す。
【図９Ｅ】図９Ｅは、通信システムの別の例を示す。
【図９Ｆ】図９Ｆは、ＷＴＲＵなどの例示的装置またはデバイスのブロック図である。
【図９Ｇ】図９Ｇは、例示的コンピューティングシステムのブロック図である。
【発明を実施するための形態】
【０００９】
ＬＴＥライセンスアシストアクセスに関して、アンライセンス周波数帯で動作する少なくとも１つのＳＣｅｌｌを用いるキャリア・アグリゲーションは、ライセンスアシストアクセス（Licensed-Assisted  Access：ＬＡＡ）とも呼ばれている。したがって、ＬＡＡでは、ＵＥ向けに構成されたサービングセルのセットは、ＬＡＡ  ＳＣｅｌｌとも呼ばれるフレーム構造タイプ３に従って、アンライセンス周波数帯で動作する少なくとも１つのＳＣｅｌｌを常に含む。特に指示がない限り、ＬＡＡ  ＳＣｅｌｌは、標準的なＳＣｅｌｌとして動作する。
【００１０】
ＬＡＡ  ｅＮＢおよびＵＥは、ＬＡＡ  ＳＣｅｌｌでの伝送を実施する前に、リッスンビフォートーク（Listen-Before-Talk：ＬＢＴ）を行う。ＬＢＴが行われるときに、送信機は、チャネルがフリーか、またはビジーかを判断するためにチャネルをリッスン／検知する。チャネルがフリーであると判断される場合、送信機は、伝送を実施する場合があるが、そうでない場合は、伝送を実施しない。ＬＡＡ  ｅＮＢが、ＬＡＡチャネルアクセスの目的で、他の技術のチャネルアクセス信号を使用する場合、ＬＡＡの最大エネルギー検出閾値要件を満たし続けなければならない。［１］3GPP  TS  36.300,  (E-UTRAN);  Overall  description;  Stage  2  (Release  15),  V15.0.0を参照されたい。
【００１１】
フレーム構造タイプ３は、通常のサイクリックプレフィックスのみを伴うＬＡＡセカンダリセル操作に適用可能である。各無線フレームは、下記の数式１の長さであり、０から１９まで番号が付けられた、下記の数式２の長さの２０スロットで構成される。サブフレームは、スロットiおよび2i+1でサブフレームｉが構成される、２つの連続するスロットで画定される。［２］3GPP  TS  36.211,  Physical  channels  and  modulation  (Release  15)を参照されたい。
【００１２】
【数１】
2021533669.tif 000003
【００１３】
【数２】
2021533669.tif 000004
【００１４】
無線フレーム内の１０サブフレームが、下りリンクまたは上りリンク伝送向けに利用可能である。3GPP  TS  36.211,  Physical  channels  and  modulation  (Release  15)の表１０．２−１で規定されているように、下りリンク伝送は、１つまたは複数の連続するサブフレームを占め、サブフレーム内のいずれかで始まり、かつ最後のサブフレームを完全に占めて終わるか、またはＤｗＰＴＳ時間期間のうち１つに続く。上りリンク伝送は、１つまたは複数の連続するサブフレームを占める。
【００１５】
ＮＲ測定に関して、ＲＲＣ＿ＣＯＮＮＥＣＴＥＤでは、ＵＥは（少なくとも１つの）セルの複数のビームを測定し、かつ測定結果（電力値）を平均化してセル品質を導出する。そのことを行うために、ＵＥは、検出したビームのサブセットを考慮に入れるように構成される。フィルタリングが、ビーム品質を導出する物理層のレベルと、複数のビームからセル品質を導出するＲＲＣレベルとの２つのレベルで行われる。ビーム測定によるセル品質は、サービングセルと、非サービングセルのどちらに対しても同じ方式で導出される。測定報告は、ＵＥがｇＮＢによってベストビームを測定するように構成されている場合、Ｘ個のベストビームの測定結果を含む場合がある。ＮＲ測定モデルを図１に示す。このモデルは、3GPP  TS  38.300,  NR;  NR  and  NG-RAN  Overall  Description;  Stage  2  (Release  15),  V15.2.0［３］3GPP  TS  38.300,  NR;  NR  and  NG-RAN  Overall  Description;  Stage  2  (Release  15),  V15.2.0からの抜粋である。
【００１６】
ＮＲでは、ネットワークが、ＳＳ／ＰＢＣＨブロック（SS/PBCH  Block：ＳＳＢ）またはＣＳＩ−ＲＳ（チャネル状態情報参照信号）に基づいて測定を実施するようにＵＥを構成する場合があり、この際、測定量は、参照信号の受信電力（Reference  Signal  Received  Power：ＲＳＲＰ）、参照信号の受信品質（Reference  Signal  Received  Quality：ＲＳＲＱ）、または信号対干渉雑音比（Signal-to-Noise  and  Interference  Ratio：ＳＩＮＲ）である場合がある。ＮＲ向けの物理層測定は、［５］3GPP  TS  38.215,  NR;  Physical  layer  measurements  (Release  15),  V15.2.0で、規定されている。
【００１７】
ＮＲ無線リンク障害に関して、ＲＲＣ＿ＣＯＮＮＥＣＴＥＤでは、（１）物理層からの無線問題の通知後に開始したタイマの満了（タイマが満了する前に無線問題が回復された場合、ＵＥはタイマを停止する）、（２）ランダムアクセスプロシージャ障害、（３）ＲＬＣ障害の基準、のうち１つが満たされた場合に、ＵＥは無線リンク障害（ＲＬＦ）を宣言する。
【００１８】
ＲＬＦが、宣言された後に、ＵＥは、１）ＲＲＣ＿ＣＯＮＮＥＣＴＥＤで留まり、２）好適なセルを選択して、ＲＲＣ再確立を開始し、３）ＲＬＦが宣言された後に、ある一定の時間内に好適なセルが見つからない場合、ＲＲＣ＿ＩＤＬＥに入る。
【００１９】
図２に示すように、２つのフェーズで、無線リンク障害に付随する動作を制御する。
【００２０】
第１フェーズは、１）無線問題検出時に開始、２）無線リンク障害検出を導く、３）ＵＥベースのモビリティではなく、４）タイマ、または他の（カウント）基準（Ｔ１）に基づく。
【００２１】
第２フェーズは、１）無線リンク障害検出またはハンドオーバ障害時に開始、２）ＲＲＣ＿ＩＤＬＥを導く、３）ＵＥベースのモビリティであり、４）タイマ（Ｔ２）に基づく。
【００２２】
ＮＲで帯域幅適応（Bandwidth  Adaptation：ＢＡ）を用いることで、ＵＥの受信および伝送帯域幅は、セルの帯域幅と同じ大きさである必要がなく、また調整することができ、幅は、変更するように指示される場合（例えば、電力を節約するために、低アクティビティ期間中に縮小される）があり、位置は、（例えば、スケジューリングの柔軟性を上げるために）周波数領域で移動させることができ、またサブキャリア間隔は、（例えば、異なるサービスを可能にするために）変更するように指定される場合がある。セルの総セル帯域幅のサブセットは、帯域幅パート（Bandwidth  Part：ＢＷＰ）と呼ばれ、ＢＡは、ＢＷＰを用いてＵＥを構成して、どの構成されたＢＷＰが現在アクティブであるかをＵＥに知らせることによって実現される。
【００２３】
図３は、１）４０ＭＨｚの幅、１５ｋＨｚのサブキャリア間隔のＢＷＰ１、２）１０ＭＨｚの幅、１５ｋＨｚのサブキャリア間隔のＢＷＰ２、および３）２０ＭＨｚの幅、６０ｋＨｚのサブキャリア間隔のＢＷＰ３の３つの異なるＢＷＰが構成される場合のシナリオについて示している。
【００２４】
サービングセルは、最大で４つのＢＷＰを用いて構成される場合があり、アクティブなサービングセルでは、１つのアクティブＢＷＰが適時にいかなる点でも存在する。サービングセルにおけるＢＷＰスイッチングは、同時に、非アクティブＢＷＰをアクティブにし、アクティブＢＷＰを非アクティブにするために用いられ、かつ、下りリンク割り当てまたは上りリンクグラントを示すＰＤＣＣＨによって制御される。ＳｐＣｅｌｌ（スペシャルセル）の追加またはＳＣｅｌｌのアクティベーションに応じて、１つのＢＷＰが、下りリンク割り当てまたは上りリンクグラントを示すＰＤＣＣＨを受信することなしに、最初にアクティブにされる。サービングセルのアクティブＢＷＰは、ＲＲＣまたはＰＤＣＣＨによって示される。対をなしていない周波数帯では、ＤＬ  ＢＷＰは、ＵＬ  ＢＷＰと対にされ、またＢＷＰスイッチングは、ＵＬとＤＬとの両方に対して共通するものである。［５］および［７］3GPP  TS  38.321,  NR;  Medium  Access  Control  (MAC)  Protocol  Specification  (Release  15),  V15.2.0を参照されたい。
【００２５】
ここで、無線リンク監視（ＲＬＭ）および無線リソース管理（ＲＲＭ）に戻り、新無線アンライセンス（ＮＲ−Ｕ）では、ＮＲ  ＮｏｄｅＢ（例えば、ｇＮＢ）が、チャネルを取得できず、伝送機会（ＴＸＯＰ）の間に下りリンク参照信号（ＤＬ−ＲＳ）を伝送することができない場合がある。ユーザ端末（ＵＥ）が、妨げられているＴＸＯＰの間に、ＤＬ−ＲＳを測定しようとする場合、ＤＬ−ＲＳがｇＮＢによって伝送されていないために、ＵＥ測定は、誤って計算される可能性がある。これにより、無線リンク監視（ＲＬＭ）測定量が誤ったものになる場合があり、ｇＮＢがチャネルを取得して測定のために参照信号を送信でき、リンク品質が良好である可能性がある場合であっても、同期はずれであるとＵＥが宣言する原因となる場合がある。また、これにより、計算されたＲＲＭ測定量も誤ったものになり、測定イベントの検出を誤る、または不具合の原因となる可能性もある。したがって、ＮＲ−Ｕ用に、妨げられているＤＬ−ＲＳ  ＴＸＯＰに対処するＲＬＭおよびＲＲＭ測定プロシージャの拡張が必要とされる。一例において、妨げられているというのは、ｇＮＢがチャネルを取得することができず、それにより、ＴＸＯＰの間にＤＬ−ＲＳの伝送を実施することを「妨げられている」状況を指す場合がある。
【００２６】
一態様において、ＮＲ−Ｕ用のＲＲＭ測定を実施する方法について本明細書で開示するが、これは、不具合ＲＳ  ＴＸＯＰが検出されるときに、不具合ＲＳ  ＴＸＯＰインジケータが上位層に提供されて、ＲＲＣによって実施される測定機能を適応させる測定モデルに基づくものである。
【００２７】
別の態様においては、不具合ＲＬＭ−ＲＳ  ＴＸＯＰと組み合わされた推定無線リンク品質に基づいた同期中／同期はずれインジケーションに基づいて、ＮＲ−Ｕ用のＲＬＭを実施する方法について本明細書で開示する。
【００２８】
（ＮＲ−Ｕ用のＲＬＭを実施する方法）
ＮＲ−Ｕ用のＲＬＭを実施する方法について以下に開示する。ＵＥは、ＰＣｅｌｌおよびＰＳＣｅｌｌの下りリンク無線リンク品質を検出するために、構成されたＲＬＭ−ＲＳリソースの参照信号に基づいて下りリンクリンク品質を監視してもよい。下りリンクリンク品質を監視することに加えて、ＵＥは、不具合ＲＬＭ−ＲＳ  ＴＸＯＰの数を監視してもよい。下りリンク品質を監視することに関して、ＵＥはＤＬリンク品質を判断する目的で構成された参照信号の測定を実施してもよく、測定値が構成された閾値より大きいか小さいかによって、無線リンクが、同期中であるのか、同期はずれであるのかが判断されてよい。不具合ＲＬＭ−ＲＳ  ＴＸＯＰの数のカウントは、ＲＬＦを検出するために、下りリンクリンク品質推定値と組み合わされて使用されてよい。構成されたＲＬＭ−ＲＳリソースは、全ＳＳＢ、または全ＣＳＩ−ＲＳ、もしくは、ＳＳＢとＣＳＩ−ＲＳの組み合わせである場合がある。図４は、例示的なＮＲ−Ｕ  ＲＬＭ／ＲＬＦモデルの図である。
【００２９】
（不具合ＲＬＭ−ＲＳ  ＴＸＯＰの検出）
不具合ＲＬＭ−ＲＳ  ＴＸＯＰを監視することは、発見参照信号（Discovery  Reference  Signal：ＤＲＳ）、チャネルアクセスインジケーション（Channel  Access  Indication：ＣＡＩ）信号、または、ｇＮＢがチャネルを取得したかどうかを確認するために、ＵＥによって使用される場合があるｇＮＢによって伝送される任意の他の信号の検出に基づいてよい。チャネル使用信号の特性は、単一のＴＸＯＰの間に確実に検出することができるようなもの、例えば、複数のＴＸＯＰにわたって組み合わせる必要がないものであってもよい。「チャネル使用」信号は、周波数分割多重（Frequency  Division  Multiplexing  ：ＦＤＭ）または時間分割多重（Time  Division  Multiplexing：ＴＤＭ）技法を使用して複数のＲＬＭ−ＲＳで多重化されてもよい。
【００３０】
ＣＡＩの検出は、明確なものであっても、暗黙なものであってもよい。ＵＥが、ＳＳＢ／ＣＳＩＲＳ向けに構成されたスロット／チャネル占有時間（Channel  Occupancy  Time：ＣＯＴ）でＰＤＳＣＨを受信する場合、ＵＥは、ＲＳが利用可能であると暗に理解する場合がある。
【００３１】
明確なシグナリングの場合、ｇＮＢがＣＯＴ向けにチャネルを取得する際に、ＰＳＳ／ＳＳＳのような信号が、ｇＮＢによって伝送されてよい。ＵＥは、この信号を監視して、その伝送がｇＮＢからのものであると識別する。そうすることで、ＵＥは、ＲＳがＣＯＴの間に利用可能であると認識する。
【００３２】
あるいは、ライセンスバンド下りリンクもまた利用可能である構成では、ｇＮＢは、ＲＬＭ−ＲＳ  ＴＸＯＰの間にアンライセンスチャネルが取得されたかどうかを示すために、ライセンスバンド下りリンクで下りリンク制御情報（Downlink  Control  Information：ＤＣＩ）を伝送してもよい。例えば、表１に示される情報で構成され、かつＣ−ＲＮＴＩ、共通ＲＮＴＩ、またはグループＲＮＴＩでスクランブルされるＤＣＩ  Ｆｏｒｍａｔ＿２＿Ｘは、特定のキャリア上の特定のＲＬＭ−ＲＳに対する不具合ＴＸＯＰを示すために使用されてよい。
【００３３】
【表１】
2021533669.tif 000005
【００３４】
また、さらに別の代替において、不具合ＲＬＭ−ＲＳ  ＴＸＯＰの検出は、閾値ベースのものであってもよい。例えば、ＲＬＭ−ＲＳ  ＲＳＲＰ測定の値が閾値より小さい場合、ＵＥはＲＬＭ−ＲＳ  ＴＸＯＰに不具合があったと見なす。閾値の値は、上位層（例えば、ＲＲＣシグナリング）によってＵＥにシグナリングされてよい。例えば、閾値は、表２に示すＳｐＣｅｌｌＣｏｎｆｉｇ情報要素（Information  Element：ＩＥ）に含まれているパラメータｒｌｍＤｅｔｅｃｔｉｏｎＴｈｒｅｓｈｏｌｄとしてシグナリングされてよい。
【００３５】
【表２】
2021533669.tif 000006
【００３６】
別の代替として、ＲＬＭ−ＲＳが無いことを検出するために、伝送が成功した他の構成またはスケジュールされた下りリンク伝送バーストに関連付けられる（例えば、重複する）ときにのみ、ＲＬＭ−ＲＳは伝送されてよい。言い換えると、ＲＬＭ−ＲＳと、関連付けられたＤＬ伝送バーストとは、常に同じＣＯＴ内にある。例えば、ＲＬＭ−ＲＳが特定のＳＳＢに関連付けられ、かつＵＥがこのＳＳＢを検出することに失敗する場合、ＵＥは、ｇＮＢがチャネルを正常に取得できないと推定し、これを不具合ＲＬＭ−ＲＳ  ＴＸＯＰとして見なしてもよい。別の例として、ＲＬＭ−ＲＳが、特定の制御リソースセット（Control  Resource  Set：ＣＯＲＥＳＥＴ）に関連付けられ、かつＵＥが、このＣＯＲＥＳＥＴ内のＰＤＣＣＨを復号することに失敗する場合、ＵＥは、ｇＮＢがチャネルを正常に取得しないと推定し、これを不具合ＲＬＭ−ＲＳ  ＴＸＯＰとして見なすことができる。
【００３７】
ＲＬＭ−ＲＳに関連付けられた伝送バーストは、上位層（例えば、ＲＲＣシグナリング）によってＵＥにシグナリングされてよい。例えば、ＳＳＢＩＤ、ＣＯＲＥＳＥＴＩＤなどの値をとることがあるＲＬＭ−ＡｓｓｏｃｉａｔｅｄＢｕｒｓｔ  ＩＥが、ＵＥにシグナリングされてよい。
【００３８】
（ＲＬＦの検出（代替１））
本明細書で論じるように、ＮＲ−Ｕ用のＲＬＦの検出は、不具合ＲＬＭ−ＲＳ  ＴＸＯＰと組み合わされた推定無線リンク品質に基づいた同期中または同期はずれインジケーションに基づいてよい。各ＲＬＭ−ＲＳリソースで、ＵＥは下りリンク無線リンク品質を推定して、セルの下りリンク無線リンク品質を監視する目的で、それを閾値ＱｏｕｔおよびＱｉｎと比べる。閾値Ｑｏｕｔは、下りリンク無線リンクを確実に受信できないレベル、例えば、１０％の同期はずれブロック誤り率（out-of-sync  Block  Error  Rate：ＢＬＥＲｏｕｔ）と定義されてよい。閾値Ｑｉｎは、Ｑｏｕｔよりも、下りリンク無線リンク品質をかなり確実に受信できるレベル、例えば、２％の同期中ブロック誤り率（in-sync  Block  Error  Rate  ：ＢＬＥＲｉｎ）と定義されてよい。ＢＬＥＲｏｕｔおよびＢＬＥＲｉｎは、別の値も用いることもでき、この値は、ｇＮＢによって実施されるか、ｇＮＢに報告される計測（例えば、チャネル占有）に基づいて、ｇＮＢによって決定されて、上位層、例えば、ＳＩブロードキャストまたは専用のシグナリングを介してＵＥにシグナリングされてよい。
【００３９】
無線リンク監視向けに構成されたリソースのセット内の全リソースで、ＲＬＭ−ＲＳ  ＴＸＯＰに不具合があったとＵＥが検出すると、ＵＥの物理層は、リンク品質が評価されたフレームで、不具合ＲＬＭ−ＲＳ  ＴＸＯＰを示す。ＵＥは、先のＴＥｖａｌｕａｔｅ＿ｍｉｓｓｅｄ＿ＴＸＯＰ期間の間に不具合のあったＲＬＭ−ＲＳ  ＴＸＯＰの数が、閾値ＮＭｉｓｓｅｄ＿ＴＸＯＰよりも大きくなるかどうかを評価する。不具合ＲＬＭ−ＲＳ  ＴＸＯＰの数を監視することは、ＴＥｖａｌｕａｔｅ＿ｍｉｓｓｅｄ＿ＴＸＯＰ期間の間に、ＮＭｉｓｓｅｄ＿ＴＸＯＰが受信されるタイミングに基づいてもよい。パラメータＴＥｖａｌｕａｔｅ＿ｍｉｓｓｅｄ＿ＴＸＯＰおよびＮＭｉｓｓｅｄ＿ＴＸＯＰの値は、上位層（例えば、ＲＲＣシグナリング）によってＵＥにシグナリングされてよい。例えば、ＴＥｖａｌｕａｔｅ＿ｍｉｓｓｅｄ＿ＴＸＯＰおよびＮＭｉｓｓｅｄ＿ＴＸＯＰは、表３に示されているＲＬＦ−ＴｉｍｅｒｓＡｎｄＣｏｎｓｔａｎｔｓ  ＩＥを介して、それぞれ、Ｔ３１２およびＮ３１２としてシグナリングされてよい。ＮＲ−Ｕ  ＲＬＦタイマおよび定数は、それぞれ、表４および表５で提示されているように定義されてよい。タイマは、不具合ＲＬＭ−ＲＳ  ＴＸＯＰ検出時に開始されてよい。表４および表６を参照されたい。
【００４０】
【表３】
2021533669.tif 000007
【００４１】
【表４】
2021533669.tif 000008
【００４２】
【表５】
2021533669.tif 000009
【００４３】
（ＲＲＣのＲＬＦ関連動作（代替１））
ＮＲ−Ｕ向けに、ＲＬＦ検出は、ＲＲＣによって実施されてよい。代替１としてＲＲＣによって実施されるＲＬＦ関連動作の例示的説明を、表６、表７、または表８に示す。
【００４４】
【表６】
2021533669.tif 000010
【００４５】
【表７】
2021533669.tif 000011
【００４６】
【表８】
2021533669.tif 000012
【００４７】
（ＲＬＦの検出（代替２））
代替２では、ＮＲ−Ｕ用のＲＬＦの検出は、推定無線リンク品質に基づいた同期中または同期はずれインジケーションと組み合わされた不具合ＲＬＭ−ＲＳ  ＴＸＯＰに基づく。下りリンクリンク品質に基づくＲＬＦの監視および検出は、代替１で記載したようなものである。不具合ＲＬＭ−ＲＳ  ＴＸＯＰに基づくＲＬＦの検出方法は、代替１とは異なるものである。代替２では、「不具合」ＲＬＭ−ＲＳ  ＴＸＯＰに基づくＲＬＦの監視および検出は、別の方法を使用し、この別の方法では、図５に示すように、「不具合」ＲＬＭ−ＲＳ  ＴＸＯＰをＵＥが検出するとき、および、ＲＬＭ−ＲＳ  ＴＸＯＰの間にＲＬＭ−ＲＳが伝送されたとＵＥが検出するときに、上位層にインジケーションが提供される。図４では、不具合ＲＬＭ−ＲＳ  ＴＸＯＰのインジケーションが、上位層に提供される。図５では、不具合かつ検出されたＲＬＭ−ＲＳ  ＴＸＯＰのインジケーションが、上位層に提供される。検出されたＲＬＭ−ＲＳ  ＴＸＯＰは、タイマＴ３１２を停止するために使用されてよい。
【００４８】
Ｎ３１２連続不具合ＲＬＭ−ＲＳ  ＴＸＯＰの検出時に、ＵＥはタイマＴ３１２を開始する。Ｎ３１３連続ＲＬＭ−ＲＳ  ＴＸＯＰの間に、ＲＬＭ−ＲＳが検出されると、タイマは停止される。さらに一般的にいえば、連続参照信号ＴＸＯＰの閾値（例えば、Ｎｄｅｔｅｃｔｅｄ＿ＴＸＯＰ）の間に、参照信号が検出されるときにタイマは停止されてよい。閾値は、ＲＲＣによって事前構成されてよい。ＲＬＦは、タイマＴ３１２の満了時に宣言される。タイマＴ３１２ならびに定数Ｎ３１２およびＮ３１３の値は、表９に示すようなＲＬＦ−ＴｉｍｅｒｓＡｎｄＣｏｎｓｔａｎｔｓ  ＩＥを介して、上位層（例えば、ＲＲＣシグナリング）によってＵＥにシグナリングされてよい。代替２で使用されるＮＲ−Ｕ  ＲＬＦタイマおよび定数は、それぞれ、表１０および表１１で提示されているように定義されてよい。
【００４９】
【表９】
2021533669.tif 000013
【００５０】
【表１０】
2021533669.tif 000014
【００５１】
【表１１】
2021533669.tif 000015
【００５２】
（ＲＲＣのＲＬＦ関連動作（代替２））
ＮＲ−Ｕ向けに、ＲＬＦ検出は、ＲＲＣによって実施されてよい。代替２としてＲＲＣによって実施されるＲＬＦ関連動作の例示的説明を、表１２、表１３、および表１４に示す。
【００５３】
【表１２】
2021533669.tif 000016
【００５４】
【表１３】
2021533669.tif 000017
【００５５】
【表１４】
2021533669.tif 000018
【００５６】
（ＲＬＦの検出（代替３））
広帯域キャリアが使用される場合の構成では、チャネルの一部が、他のユーザ、例えば、Ｗｉ−Ｆｉユーザによって占有され、その一方で、残りの部分は占有されないことがあるシナリオが考えられる。チャネルの利用率を最適化するために、一部の下りリンク伝送、例えば、ＲＬＭ−ＲＳの伝送のために、チャネルにアクセスするときに、ｇＮＢがサブバンドＬＢＴを実施することを提案する。それぞれが、ＲＬＭリソースのそれら固有のセットを有する異なるＢＷＰ構成である、複数のサブバンドのモデルについて本明細書で論じる。
【００５７】
一例において、ｇＮＢは、各対応するＤＬーＢＷＰで実施されるサブバンドＬＢＴの結果に従って、所定のＵＥ向けに構成されたＤＬーＢＷＰの全てで、ＲＬＭ−ＲＳを伝送する。アクティブＤＬーＢＷＰ上の物理層問題をＵＥが検出すると、ＵＥは、ＢＷＰスイッチングを実施してもよい。ＢＷＰスイッチングの実施後、物理層問題からＵＥが回復しない場合、ＲＬＦを宣言する前に追加のＢＷＰスイッチングが実施されてよい。タイマＴ３１０ならびに定数Ｎ３１２およびＮ３１３の値は、表１５に示すようなＲＬＦ−ＴｉｍｅｒｓＡｎｄＣｏｎｓｔａｎｔｓ  ＩＥを介して、上位層（例えば、ＲＲＣシグナリング）によってＵＥにシグナリングされてよい。代替３で使用されるＮＲ−Ｕ  ＲＬＦタイマおよび定数は、それぞれ、表１６および表１７で定義される。
【００５８】
【表１５】
2021533669.tif 000019
【００５９】
【表１６】
2021533669.tif 000020
【００６０】
【表１７】
2021533669.tif 000021
【００６１】
（ＲＲＣのＲＬＦ関連動作（代替３））
ＮＲ−Ｕ向けに、ＲＬＦ検出は、ＲＲＣによって実施されてよい。代替３としてＲＲＣによって実施されるＲＬＦ関連動作の例示的説明を、表１８、表１９、および表２０に示す。
【００６２】
【表１８】
2021533669.tif 000022
【００６３】
【表１９】
2021533669.tif 000023
【００６４】
【表２０】
2021533669.tif 000024
【００６５】
ＲＲＣでＢＷＰスイッチングをトリガする代替は、ＭＡＣ層で物理層問題の検出を実施して、ＭＡＣによる物理層問題の検出時にＢＷＰスイッチングをトリガすることであってもよい。この代替において、物理層問題の検出に対してＲＲＣによって実施される動作を、表２１に示す。物理層問題の回復およびＲＬＦの検出に対する残りのＲＲＣ動作は、表１９および表２０に示している。物理層問題の検出に対してＭＡＣによって実施される動作を、表２２に示す。
【００６６】
【表２１】
2021533669.tif 000025
【００６７】
【表２２】
2021533669.tif 000026
【００６８】
この代替では、ＭＡＣ層によって受信された同期はずれインジケーションは、推定無線リンク品質に基づいてもよい。あるいは、同期はずれインジケーションは、不具合ＲＬＭ−ＲＳ  ＴＸＯＰと組み合わされた推定無線リンク品質に基づいてもよい。さらに別の代替では、ＭＡＣ層による物理層問題の検出は、不具合ＲＬＭ−ＲＳ  ＴＸＯＰ、例えば、不具合ＲＬＭ−ＲＳ  ＴＸＯＰの受信のみに基づいてもよい。
【００６９】
ｄｅｆａｕｌｔＤｏｗｎｌｉｎｋＢＷＰまたはｉｎｉｔｉａｌＤｏｗｎｌｉｎｋＢＷＰへのスイッチングに代わるものとして、ＵＥは自律的に任意の他の構成されたＤＬ  ＢＷＰに切り替えてもよい。例えば、ＵＥは、構成されたＢＷＰの数を法として１ずつアクティブＢＷＰのＢＷＰ−ＩＤをインクリメントしてもよい。全ての構成されたＢＷＰを通した繰り返し後も、物理層問題からＵＥが回復しない場合、ＵＥはｄｅｆａｕｌｔＤｏｗｎｌｉｎｋＢＷＰまたはｉｎｉｔｉａｌＤｏｗｎｌｉｎｋＢＷＰへ切り替えてもよい。
【００７０】
（ＲＬＦの検出（代替４））
代替４では、ＮＲ−Ｕ用のＲＬＦの検出は、Ｎ３１０連続同期はずれインジケーションの受信に基づいてもよい。タイマベースの回復期間は、定義されなくてもよく、例えば、Ｎ３１０連続同期はずれインジケーションの検出時に、ＲＬＦが宣言される。一例において、同期はずれインジケーションは、不具合ＲＬＭ−ＲＳ  ＴＸＯＰが検出されるときに生成されてもよい。上位層は、同期はずれインジケーションを受信するとカウンタＮ３１０をインクリメントして、最大値に到達したときにＲＬＦを宣言してもよい。カウンタＮ３１０は、Ｎ３１１連続「同期中」インジケーションが受信されると、リセットされる。
【００７１】
代替例では、同期中または同期はずれインジケーションは、リンク品質が評価されて、無線リンク監視向けに構成されたリソースのセット内の全リソースで、ＲＬＭ−ＲＳ  ＴＸＯＰに不具合があったとＵＥが検出するフレーム内で生成されない場合がある。上位層は、同期はずれインジケーションを受信するとカウンタＮ３１０をインクリメントして、最大値に到達したときにＲＬＦを宣言してもよい。カウンタＮ３１０は、Ｎ３１１連続「同期中」インジケーションが受信されると、リセットされてよい。Ｎ３１０およびＮ３１１のカウンタ値は、不具合ＲＬＭ−ＲＳ  ＴＸＯＰが検出されたフレームの間に更新されない場合がある。
【００７２】
さらに別の例では、ＰＨＹ層は、ｇＮＢにおけるＬＢＴの失敗に起因して、ＵＥがＲＬＭ参照信号検出に失敗するインスタンスのインジケーションを、上位層に提供する。これらのインスタンスは、本明細書で、不具合ＲＬＭ−ＲＳ  ＴＸＯＰと呼ばれる場合がある。ＵＥ上位層は、不具合ＲＬＭ−ＲＳ  ＴＸＯＰ受信時に、カウンタＮ３１０、Ｎ３１１をリセットしない場合がある。上位層による不具合ＲＬＭ−ＲＳ  ＴＸＯＰインジケーションの受信は、受信された連続同期中（In-Sync：ＩＳ）インジケーションまたは受信された連続同期はずれインジケーション（Out-Of-Sync：ＯＯＳ）のカウントに影響を与えない場合がある。無線リンク問題が検出され次第、無線リンク障害の宣言を制御するために使用されるタイマ（例えば、タイマＴ３１０）は、不具合ＲＬＭ−ＲＳ  ＴＸＯＰを表すように調整される。例えば、タイマＴ３１０は、不具合ＲＬＭ−ＲＳ−ＴＸＯＰの受信時に停止されて、ＩＳインジケーションの受信時、またはＯＯＳインジケーションの受信時に再開されてよい。
【００７３】
（ＮＲ−Ｕ用のＲＲＭ測定を実施する方法）
図６は、不具合ＲＳ  ＴＸＯＰが検出されるときに、不具合ＲＳ  ＴＸＯＰインジケータが上位層に提供されて、ＲＲＣによって実施される測定機能を適応させることができる例示的ＮＲ−Ｕ測定モデルである。測定またはフィルタリングに関するさらなる説明を、以下にて開示する。
−Ａ：物理層内部の測定（ビーム固有サンプル）。
−層１フィルタリング：ポイントＡで測定された入力の内層１フィルタリング。正確なフィルタリングは実装形態に依存する。実装形態（入力Ａおよび層１フィルタリング）によって、物理層で実際にどのように測定が実行されるかは、規格によって強制されない。
−Ａ１：層１フィルタリングの後に、層１によって層３に報告される測定値（例えば、ビーム固有測定値）。不具合ＲＳ  ＴＸＯＰが検出されると、Ｌ１は、「不具合」入力に応じて変化したであろう測定サンプルを破棄してもよい。例えば、層１は、層３にその測定値を報告しない。その結果、Ａ１での測定サンプルのレートは、変動する場合がある。あるいは、層１は、全ての測定値を層３に報告し、層３は、不具合ＲＳ  ＴＸＯＰに関連付けられた測定サンプルを破棄してもよい。層３による測定サンプルの破棄は、層１から受信される明確なインジケーション（例えば、不具合ＲＸ  ＴＸＯＰインジケータ、予備値を伴う測定サンプルなど）に基づくか、または、層３は、測定サンプルが破棄されるべきかどうかを判断するために閾値テストを適用してもよい（例えば、測定値は構成された閾値より小さい場合、破棄される）。
−ビーム統合または選択：ビーム固有測定値は、セル品質を導出するために統合されてよい。ビーム統合または選択の動作は、標準化され、このモジュールの構成は、ＲＲＣシグナリングによって提供される。Ｂの報告期間は、Ａ１の１つの測定期間と等しい。
−Ｂ：ビーム統合または選択後に、層３に報告されるビーム固有測定値から導出される測定値（例えば、セル品質）。セル品質測定値は、ＲＳ  ＴＸＯＰが、全ビームで不具合があった期間の報告向けには、導出されない場合がある。
−セル品質の層３フィルタリング：提供される測定値に基づいて実施されるフィルタリングは、報告基準の評価であることがあり、実際の測定報告がポイントＤで必要かどうかを確認する。評価は、例えば、異なる測定値同士を比較するために、参照点Ｃにおける測定値の２つ以上のフローに基づいてもよい。これは、入力ＣおよびＣ１と、示されている。評価はまたは、不具合ＲＳ  ＴＸＯＰの検出に基づいてもよい。ＵＥは、少なくとも、毎回、報告基準を評価してもよく、新しい測定結果は、ポイントＣ、Ｃ１、または不具合ＲＸ  ＴＸＯＰが検出されるときに報告される。報告基準は、標準化され、構成は、ＲＲＣシグナリング（ＵＥ測定値）によって提供される。
−Ｄ：無線インターフェースで送信される測定報告情報（メッセージ）。
−Ｌ３ビームフィルタリング：ポイントＡ１で提供される測定値（例えば、ビーム固有測定値）に基づいて実施されるフィルタリング。ビームフィルタの動作は、標準化され、このビームフィルタの構成は、ＲＲＣシグナリングによって提供される。層３フィルタリングは、測定サンプルが破棄されるときに、フィルタの時間特性は保持されるように、適応される。Ｅのフィルタリング報告期間は、Ａ１の１つの測定期間と等しい。
−Ｅ：ビームフィルタによる処理後の測定値（例えば、ビーム固有測定値）。報告レートは、ポイントＡ１における報告レートと同じである場合がある。この測定値は、報告されることになるＸ個の測定値を選択するための入力として使用されてよい。
−ビーム報告でのビーム選択：ポイントＥで提供される測定値からＸ個の測定値を選択する。ビーム選択の動作は、標準化される場合があり、このモジュールの構成は、ＲＲＣシグナリングによって提供される。
−Ｆ：無線インターフェースでの測定報告（送信）に含まれるビーム測定値情報。
【００７４】
「不具合」入力に応じて変化したであろう測定サンプルをＬ１が破棄する代替に関して、3GPP  TS  38.331,  Radio  Resource  Control  (RRC)  protocol  specification  (Release  15),  V15.2.1のセクション５．５．３．３に記載されているような、ビーム統合または選択機能の動作を、本明細書にて開示する。「不具合」入力に応じて変化したであろう測定サンプルの破棄が、層３によって実施される代替に関して、少なくとも１つのビーム測定が不具合のなかったＲＳ  ＴＸＯＰに対応する場合、ビーム統合または選択機能が、セル測定量を生成することを提案する。不具合ＲＳ  ＴＸＯＰが、全ビーム測定に対して示される場合、セル測定量は生成されなくてもよい。本代替のビーム統合または選択機能の例示的説明を、表２３に記載する。
【００７５】
【表２３】
2021533669.tif 000027
【００７６】
Ｌ３セル品質フィルタリング機能は、ビーム統合または選択機能からのセル品質サンプルの受信に応じて、新しい測定サンプルを出力してもよい。同様に、Ｌ３ビームフィルタリング機能は、Ｌ１でフィルタされたビーム測定値の受信に応じて新しい測定サンプルを出力してもよい。不具合ＲＳ  ＴＸＯＰインジケータが、これらの機能への入力として提供されて、いつ測定サンプルが破棄されたかを、これらの機能が判断できるようにしてもよい。
【００７７】
一例において、層３フィルタは、測定サンプルが破棄される報告期間の間に、新しい出力を生成しない。測定サンプルが破棄された１つまたは複数の報告期間の後に、測定サンプルが入力として層３フィルタに提供されるときに、層３フィルタリングは、フィルタの時間特性が保持されるように、適応される。
【００７８】
例えば、測定報告期間ｎおよび（ｎ−ｘ）の間に、有効な測定値が提供されたが、その間の他の全ての測定報告期間の間に、その有効な測定値が破棄されたと仮定した場合、サンプルｎに対する層３フィルタの出力は、以下のように計算される。
【００７９】
【数３】
2021533669.tif 000028
式中：
Ｍｎは、物理層からの最後に受信された測定結果である。
Ｆｎは、報告基準の評価または測定報告で使用される、更新されフィルタされた測定結果である。
Ｆｎ−ｘは、時間（ｎ−ｘ）で計算された、古いフィルタされた測定結果である。
ａ＝１／２（ｋ／４）であり、ここで、ｋはｑｕａｎｔｉｔｙＣｏｎＦＩＧによって受信される対応する測定量に対するｆｉｌｔｅｒＣｏｅｆｆｉｃｉｅｎｔである。
【００８０】
本代替の層３フィルタリング機能の例示的説明を、表２４に記載する。
【００８１】
【表２４】
2021533669.tif 000029
【００８２】
あるいは、層３フィルタは、サンプルが破棄された測定期間の間に新しい出力を計算する。層３フィルタは、計算が行われる際に、サンプルＭｎの値に対してスケーリングされたタイプのサンプルＭｎ−１を使用してもよい（例えば、Ｍｎ＝ｃ＊Ｍｎ−１、式中、０≦ｃ≦１）。ｃの値は、規格に従って規定されるか、または上位層、例えば、ＲＲＣシグナリングを介してシグナリングされる。同じ層３フィルタが、Ｌ３ビームフィルタリング機能で使用されてもよいが、それは、異なるフィルタ係数を使用するように構成されてもよい。
【００８３】
ＮＲ向けに定義される測定イベントに加えて、不具合ＲＳ  ＴＸＯＰの検出、例えば、イベントＡｘ（サービングセルで検出された不具合ＲＳ  ＴＸＯＰ）、イベントＡｙ（近隣セルで検出された不具合ＲＳ  ＴＸＯＰ）に基づいた、ＮＲ−Ｕ向けの新しいイベントを定義することを提案する。そのようなイベントの開始条件は、所定時間期間の間に、構成された閾値を超えることが検出された不具合ＲＳ  ＴＸＯＰの数に基づいてもよく、また離脱条件は、所定タイマ期間で、いずれの不具合ＲＳ  ＴＸＯＰも検出されなかったことに基づいてよい。この際、ＵＥにおけるイベントの構成のために使用されるパラメータは、上位層シグナリング（例えば、ＲＲＣシグナリング）を介して提供されるか、規格に従って規定されてよい。提案するイベントの例示的定義は、表２５および表２６に示す。
【００８４】
【表２５】
2021533669.tif 000030
【００８５】
【表２６】
2021533669.tif 000031
【００８６】
ＵＥは、測定報告にビーム測定情報を含むように構成されてよい。測定サンプルが所定のビームに関して破棄される報告期間の間に、Ｌ３フィルタは、新しい出力を生成しないか、または新しい出力が古いサンプルに基づいて新しい出力を計算する場合がある。いずれの場合においても、測定結果は不正確である可能性がある。開示するように、この状況をｇＮＢに通知するために、ビーム測定報告にフィールドを含めて、測定サンプルが破棄されることによってビーム測定の精度が影響を受けた可能性があるかどうかを示すことが効果的である可能性がある。例えば、表２７に示すように、ＭｅａｓＱｕａｎｔｉｔｙＲｅｓｕｌｔｓ  ＩＥが、有効化フラグを含むように拡張されて、測定サンプルが破棄されることによって測定精度が影響を受けた可能性があるかどうかを示してもよい。あるいは、ＵＥは、測定報告からそのようなビーム測定値を除外してもよい。
【００８７】
【表２７】
2021533669.tif 000032
【００８８】
測定構成は、近隣セル測定を実施することをＵＥが要求されるタイミングを制御するパラメータを含んでもよい。このパラメータは、Ｓ−ｍｅａｓｕｒｅと呼ばれる場合がある。Ｓ−ｍｅａｓｕｒｅは、ＳｐＣｅｌｌの導出されたセル品質と比較されるＳｐＣｅｌｌ品質閾値に対応する場合がある。導出されたＳｐＣｅｌｌ品質がＳ−ｍｅａｓｕｒｅを下回る場合、ＵＥは、近隣セル測定を実施することを要求されてよい。導出されるＳｐＣｅｌｌ品質は、ＳＳＢまたはＣＳＩ−ＲＳ参照信号に基づいてもよい。
【００８９】
ＮＲ−Ｕ向けに、導出されたＳｐＣｅｌｌ品質以外の基準値も、近隣セル測定を実施することをＵＥが要求されるタイミングを制御するために使用されてよい。例えば、ＵＥは、構成された時間間隔の間に検出された不具合ＲＳ  ＴＸＯＰの数が閾値を超えた場合に、近隣セル測定をトリガしてもよい。別の例では、近隣セル測定を実施することをＵＥが要求されるタイミングを制御するために、ＲＳＳＩまたはサービングセル周波数で実施されるチャネル占有測定が、閾値と比較されてよい。提案する例で使用される閾値は、上位層、例えば、ＲＲＣシグナリングを介してＵＥにシグナリングされてよい。
【００９０】
このような基準は、近隣セル測定を実施することをＵＥが要求されるタイミングを制御するために、導出されたＳｐＣｅｌｌと組み合わされて、またはそれ自体で使用されてよい。例えば、ＵＥは、ＳｐＣｅｌｌ品質が閾値を下回るか、または不具合ＲＳ  ＴＸＯＰが検出される場合、ＲＳＳＩが閾値を上回る可能性がある、チャネル占有が閾値を上回る可能性がある、など、近隣セル測定を実施するように構成されてよい。
【００９１】
提案するパラメータを含む例示的ＭｅａｓＣｏｎｆｉｇ  ＩＥを、図２７に示す。
【００９２】
【表２８】
2021533669.tif 000033
【００９３】
図７は、開示する主題を実装する例示的方法を示す。ステップ２２１で、同期中インジケーションまたは同期はずれインジケーションの監視が行われてよい。同期中インジケーションまたは同期はずれインジケーションは、無線リンク品質に基づいてもよい。ステップ２２２で、不具合ＲＬＭ−ＲＳ  ＴＸＯＰの数の監視が行われてよい。ステップ２２３で、不具合ＲＬＭ−ＲＳ  ＴＸＯＰの監視された数と組み合わされた監視された同期中インジケーションまたは同期はずれインジケーションに基づいて、ユーザ端末は、無線リンク障害を検出してもよい。不具合ＲＬＭ−ＲＳ  ＴＸＯＰの数を監視することは、発見参照信号、チャネルアクセスインジケーション、または別の信号に基づいてもよい。同期はずれインジケーションのうちの１つまたは複数は、不具合ＲＬＭ−ＲＳ  ＴＸＯＰのうち少なくとも１つが検出される可能性がある場合に、生成されてよい。タイマＴＥｖａｌｕａｔｅ＿ｍｉｓｓｅｄ＿ＴＸＯＰは、初期値が設定され、その後、カウントダウンされてよい。タイマの満了は、タイマがゼロ値に達することに対応してもよい。本方法フローに対する将来の変更は、表１から表２８、および対応する説明に基づいてもよい。
【００９４】
表２９は、本明細書に出現することがある例示的頭字語を提示する。特に指示がない限り、本明細書で使用される頭字語は、表２９に記載する対応する用語を指す。
【００９５】
【表２９−１】
2021533669.tif 000034
【表２９−２】
2021533669.tif 000035
【００９６】
とりわけ、表１から表２８、または図４から図７のような、本明細書で示すステップを実施するエンティティは、論理エンティティである場合があることを理解されたい。これらのステップは、図９Ｃまたは図９Ｄに示すような、ユーザ端末、サーバ、またはコンピュータシステムの、メモリに記憶されてよく、また、それらのプロセッサで実行されてよい。本明細書で開示される、例示的方法間で、ステップの省略、ステップの組み合わせ、またはステップの追加が検討される。
【００９７】
図８は、本明細書で論じるような、ＮＲ−Ｕ用の無線リンク監視および無線リソース管理測定プロシージャの方法、システム、およびデバイスに基づいて作り出されることがある、例示的ディスプレイ（例えば、グラフィカルユーザインターフェース）を示す。ディスプレイインターフェース９０１（例えば、タッチスクリーンディスプレイ）は、とりわけ、方法フローおよびＲＲＣ関連パラメータなど、ＮＲ−Ｕ用の無線リンク監視および無線リソース管理測定プロシージャに関連するテキストをブロック９０２に表示してもよい。本明細書で論じるステップのいずれの進行状況（例えば、メッセージの送信またはステップの成功）も、ブロック９０２内で表示されてよい。加えて、グラフィカル出力９０２が、ディスプレイインターフェース９０１上で表示されてよい。グラフィカル出力９０３は、ＮＲ−Ｕ用の無線リンク監視および無線リソース管理測定プロシージャの方法、システムおよびデバイスを実装するデバイスのトポロジー、本明細書で論じる任意の方法またはシステムの進行状況のグラフィカル出力などであってもよい。
【００９８】
第３世代パートナーシッププロジェクト（3rd  Generation  Partnership  Project：３ＧＰＰ）は、無線アクセス、コアトランスポートネットワーク、およびサービス能力（符復号化、セキュリティ、およびサービスの品質に作用するものを含む）を含む、セルラー電気通信ネットワーク技術のために、技術的規格を策定している。最近の無線アクセス技術（ＲＡＴ）規格は、ＷＣＤＭＡ（一般に、３Ｇと称される）、ＬＴＥ（一般に、４Ｇと称される）、ＬＴＥ−アドバンスト規格、および「５Ｇ」とも称される新無線（ＮＲ）を含む。３ＧＰＰ  ＮＲ規格開発は、継続され、かつ次世代無線アクセス技術（新しいＲＡＴ）の規定を含むことが想定され、これは、７ＧＨｚを下回る新規のフレキシブルな無線アクセスのプロビジョンと、７ＧＨｚを上回る新規のウルトラモバイルブロードバンド無線アクセスのプロビジョンとを含むことが想定されている。フレキシブルな無線アクセスは、６ＧＨｚを下回る新しい周波数帯域における新しい非後方互換性無線アクセスで構成されることが想定され、また同じ周波数帯でまとめて多重化されて、多様な要件を伴う３ＧＰＰ  ＮＲユースケースの広範なセットに対処する場合がある異なる動作モードを含むことが予期される。ウルトラモバイルブロードバンドは、例えば、屋内用途およびホットスポット向けのウルトラモバイルブロードバンドアクセスの機会を提供する、センチ波およびミリ波の周波数帯域を含むことが想定されている。特に、センチ波およびミリ波特有設計最適化を伴うウルトラモバイルブロードバンドは、７ＧＨｚを下回るフレキシブル無線アクセスと、共通設計フレームワークを共有することが想定されている。
【００９９】
３ＧＰＰは、データレート、遅延、およびモビリティに対する、様々なユーザ体験要件となるＮＲでサポートすることが予期される種々のユースケースを特定している。ユースケースは、一般的なカテゴリ、すなわち、高度化モバイルブロードバンド（ｅＭＢＢ）、超高信頼・低遅延通信（ＵＲＬＬＣ）、大規模マシンタイプ通信（ｍＭＴＣ）、ネットワークオペレーション（例えば、ネットワークスライシング、ルーティング、マイグレーションおよびインターワーキング、省エネルギー）、ならびに、ビークル・ツー・ビークル通信（Vehicle-To-Vehicle：Ｖ２Ｖ）、ビークル・ツー・インフラストラクチャ通信（Vehicle-To-Infrastructure：Ｖ２Ｉ）、ビークル・ツー・ネットワーク通信（Vehicle-To-Network：Ｖ２Ｎ）、ビークル・ツー・ペデストリアン通信（Vehicle-To-Pedestrian：Ｖ２Ｐ）、およびその他のエンティティとのビークル通信のうちいずれかを含む場合がある高度化ビークル・ツー・エブリシング（Enhanced  Vehicle-To-Everything：ｅＶ２Ｘ）通信を含む。これらのカテゴリにおける具体的サービスおよびアプリケーションは、例えば、いくつか例を挙げると、監視およびセンサネットワーク、デバイス遠隔制御、双方向遠隔制御、パーソナルクラウドコンピューティング、ビデオストリーミング、無線クラウドベースのオフィス、緊急対応者コネクティビティ、自動車ｅコール、災害警告、リアルタイムゲーム、多人数ビデオコール、自律運転、拡張現実、触知インターネット、バーチャルリアリティ、ホームオートメーション、ロボティクスおよび空中ドローンを含む。これらのユースケースの全ておよび他のものが、本明細書で検討される。
【０１００】
図９Ａは、本明細書で記載および請求される図４から図６に示すシステムおよび方法など、ＮＲ−Ｕ用の無線リンク監視および無線リソース管理測定プロシージャの方法および装置が、使用される場合がある通信システム１００の一例を示す。通信システム１００は、（概して、または集合的に（１つまたは複数の）ＷＴＲＵ１０２を指す場合がある）無線伝送／受信ユニット（Wireless  Transmit/Receive  Unit：ＷＴＲＵ）１０２ａ、１０２ｂ、１０２ｃ、１０２ｄ、１０２ｅ、１０２ｆまたは１０２ｇを含んでもよい。通信システム１００は無線アクセスネットワーク（ＲＡＮ）１０３／１０４／１０５／１０３ｂ／１０４ｂ／１０５ｂ、コアネットワーク１０６／１０７／１０９、公衆交換電話網（Public  Switched  Telephone  Network：ＰＳＴＮ）１０８、インターネット１１０、その他のネットワーク１１２およびネットワークサービス１１３を含んでもよい。ネットワークサービス１１３は、例えば、Ｖ２Ｘサーバ、Ｖ２Ｘ機能、ＰｒｏＳｅサーバ、ＰｒｏＳｅ機能、ＩｏＴサービス、動画ストリーミングまたはエッジコンピューティングなどを含んでもよい。
【０１０１】
本明細書に開示する概念が、任意の数のＷＴＲＵ、基地局、ネットワーク、またはネットワーク要素と共に使用される場合があることを理解されよう。ＷＴＲＵ１０２ａ、１０２ｂ、１０２ｃ、１０２ｄ、１０２ｅ、１０２ｆまたは１０２ｇのそれぞれは、無線環境で動作または通信するように構成される任意のタイプの装置またはデバイスであってよい。ＷＴＲＵ１０２ａ、１０２ｂ、１０２ｃ、１０２ｄ、１０２ｅ、１０２ｆまたは１０２ｇのそれぞれが、図９Ａ、図９Ｂ、図９Ｃ、図９Ｄ、図９Ｅ、または図９Ｆにおいてハンドヘルド無線通信装置を指す場合があるが、５Ｇ無線通信で考えられる様々なユースケースで、各ＷＴＲＵは、一例にすぎないが、ユーザ端末（ＵＥ）、移動局、固定またはモバイルサブスクライバユニット、ポケットベル、セルラー電話、携帯情報端末（Personal  Digital  Assistant：ＰＤＡ）、スマートフォン、ラップトップ、タブレット、ネットブック、ノートブックコンピュータ、パーソナルコンピュータ、無線センサ、大衆消費電子製品、スマートウォッチまたはスマート衣類などのウェアラブルデバイス、医療またはｅ健康デバイス、ロボット、産業機器、ドローン、例えば、車、バス、トラック、電車、または飛行機の乗物などを含む、無線信号を伝送または受信するように構成されている任意のタイプの装置またはデバイスを備えている、またはそれらで具現化されてよいことを理解されよう。
【０１０２】
通信システム１００はまた、基地局１１４ａおよび基地局１１４ｂを含む場合がある。図９Ａの例では、各基地局１１４ａおよび基地局１１４ｂは、単一の要素として示されている。実際には、基地局１１４ａおよび１１４ｂは、相互接続する任意の数の基地局またはネットワーク要素を含んでいてもよい。基地局１１４ａは、ＷＴＲＵ１０２ａ、１０２ｂおよび１０２ｃのうちの少なくとも１つと無線でインターフェースをとり、コアネットワーク１０６／１０７／１０９、インターネット１１０、ネットワークサービス１１３、またはその他のネットワーク１１２などの１つまたは複数の通信ネットワークへのアクセスを促進するように構成される任意のタイプのデバイスであってもよい。同様に、基地局１１４ｂは、遠隔無線ヘッド（Remote  Radio  Head：ＲＲＨ）１１８ａ、１１８ｂ、送受信ポイント（ＴＲＰ）１１９ａ、１１９ｂまたはロードサイドユニット（Roadside  Unit：ＲＳＵ）１２０ａおよび１２０ｂのうちの少なくとも１つと有線または無線でインターフェースをとり、コアネットワーク１０６／１０７／１０９、インターネット１１０、その他のネットワーク１１２、またはネットワークサービス１１３などの１つまたは複数の通信ネットワークへのアクセスを促進するように構成される任意のタイプのデバイスであってもよい。ＲＲＨ１１８ａ、１１８ｂは、ＷＴＲＵ１０２のうちの少なくとも１つ、例えば、ＷＴＲＵ１０２ｃと無線でインターフェースをとり、コアネットワーク１０６／１０７／１０９、インターネット１１０、ネットワークサービス１１３、またはその他のネットワーク１１２などの１つまたは複数の通信ネットワークへのアクセスを促進するように構成される任意のタイプのデバイスであってもよい。
【０１０３】
ＴＲＰ１１９ａ、１１９ｂは、ＷＴＲＵ１０２ｄのうちの少なくとも１つと無線でインターフェースをとり、コアネットワーク１０６／１０７／１０９、インターネット１１０、ネットワークサービス１１３、またはその他のネットワーク１１２などの１つまたは複数の通信ネットワークへのアクセスを促進するように構成される任意のタイプのデバイスであってもよい。ＲＳＵ１２０ａおよび１２０ｂは、ＷＴＲＵ１０２ｅまたは１０２ｆのうちの少なくとも１つと無線でインターフェースをとり、コアネットワーク１０６／１０７／１０９、インターネット１１０、その他のネットワーク１１２、またはネットワークサービス１１３などの１つまたは複数の通信ネットワークへのアクセスを促進するように構成される任意のタイプのデバイスであってもよい。例として、基地局１１４ａ、１１４ｂは、送受信機基地局（Base  Transceiver  Station：ＢＴＳ）、Ｎｏｄｅ−Ｂ、ｅＮｏｄｅ  Ｂ、ホームＮｏｄｅＢ、ホームｅＮｏｄｅＢ、次世代Ｎｏｄｅ−Ｂ（ｇＮｏｄｅ  Ｂ）、衛星、サイトコントローラ、アクセスポイント（Access  Point：ＡＰ）、無線ルータなどであってもよい。
【０１０４】
基地局１１４ａは、ＲＡＮ１０３／１０４／１０５の一部であってもよく、それらＲＡＮはまた、基地局コントローラ（Base  Station  Controller：ＢＳＣ）、無線ネットワークコントローラ（Radio  Network  Controller：ＲＮＣ）、中継ノードなど、他の基地局またはネットワーク要素（図示せず）をも含んでよい。同様に、基地局１１４ｂは、ＲＡＮ１０３ｂ／１０４ｂ／１０５ｂの一部であってもよく、それらＲＡＮはまた、ＢＳＣ、ＲＮＣ、中継ノードなど、他の基地局またはネットワーク要素（図示せず）を含んでもよい。基地局１１４ａは、特定の地理的領域内で無線信号を伝送または受信するように構成されてよく、その地理的領域はセルと呼ばれることもある（図示せず）。同様に、基地局１１４ｂは、特定の地理的領域内で有線または無線信号を伝送または受信するように構成されてよく、その地理的領域は、本明細書にて開示するような、ＮＲ−Ｕ用の無線リンク監視および無線リソース管理測定プロシージャの方法、システム、およびデバイスに関するセル（図示せず）と呼ばれることもある。同様に、基地局１１４ｂは、特定の地理的領域内で有線または無線信号を伝送または受信するように構成されてよく、その地理的領域はセルと呼ばれることもある（図示せず）。セルは、セルセクタにさらに分割されることがある。例えば、基地局１１４ａに関連付けられたセルは、３つのセクタに分割されることがある。したがって、一例では、基地局１１４ａは、例えば、セルのセクタ毎に１つの、３つの送受信機を備える場合がある。一例において、基地局１１４ａは、多入力多出力（Multiple-Input  Multiple  Output：ＭＩＭＯ）技術を採用する場合があり、したがって、セルのセクタ毎に複数の送受信機を利用することがある。
【０１０５】
基地局１１４ａは、任意の好適な無線通信リンク（例えば、高周波（Radio  Frequency：ＲＦ）、マイクロ波、赤外線（Infrared：ＩＲ）、紫外線（Ultraviolet：ＵＶ）、可視光、センチ波、ミリ波など）であることがあるエアインターフェース１１５／１１６／１１７を通してＷＴＲＵ１０２ａ、１０２ｂ、１０２ｃまたは１０２ｇのうちの１つまたは複数と通信する場合がある。エアインターフェース１１５／１１６／１１７は、任意の好適な無線アクセス技術（ＲＡＴ）を使用して確立されてよい。
【０１０６】
基地局１１４ｂは、任意の好適な有線（例えば、ケーブル、光ファイバーなど）または無線通信リンク（例えば、高周波（ＲＦ）、マイクロ波、赤外線（ＩＲ）、紫外線（ＵＶ）、可視光、センチ波、ミリ波など）であることがある、有線またはエアインターフェース１１５ｂ／１１６ｂ／１１７ｂを通してＲＲＨ１１８ａ、１１８ｂ、ＴＲＰ１１９ａ、１１９ｂまたはＲＳＵ１２０ａ、１２０ｂのうち１つまたは複数と通信する場合がある。エアインターフェース１１５ｂ／１１６ｂ／１１７ｂは、任意の好適な無線アクセス技術（ＲＡＴ）を使用して確立されてよい。
【０１０７】
ＲＲＨ１１８ａ、１１８ｂ、ＴＲＰ１１９ａ、１１９ｂまたはＲＳＵ１２０ａ、１２０ｂ、は、任意の好適な無線通信リンク（例えば、高周波（ＲＦ）、マイクロ波、赤外線（ＩＲ）、紫外線（ＵＶ）、可視光、センチ波、ミリ波など）であることがある、エアインターフェース１１５ｃ／１１６ｃ／１１７ｃを通してＷＴＲＵ１０２ｃ、１０２ｄ、１０２ｅ、１０２ｆのうちの１つまたは複数と通信する場合がある。エアインターフェース１１５ｃ／１１６ｃ／１１７ｃは、任意の好適な無線アクセス技術（ＲＡＴ）を使用して確立されてよい。
【０１０８】
ＷＴＲＵ１０２ａ、１０２ｂ、１０２ｃ、１０２ｄ、１０２ｅまたは１０２ｆは、任意の好適な無線通信リンク（例えば、高周波（ＲＦ）、マイクロ波、赤外線（ＩＲ）、紫外線（ＵＶ）、可視光、センチ波、ミリ波など）であることがある、サイドリンク通信などのエアインターフェース１１５ｄ／１１６ｄ／１１７ｄを通して相互に通信する場合がある。エアインターフェース１１５ｄ／１１６ｄ／１１７ｄは、任意の好適な無線アクセス技術（ＲＡＴ）を使用して確立されてよい。
【０１０９】
通信システム１００は、複数のアクセスシステムである場合があり、かつＣＤＭＡ、ＴＤＭＡ、ＦＤＭＡ、ＯＦＤＭＡ、ＳＣ−ＦＤＭＡなどの１つまたは複数のチャネルアクセススキームを採用する場合がある。例えば、ＲＡＮ１０３／１０４／１０５内の基地局１１４ａとＷＴＲＵ１０２ａ、１０２ｂ、１０２ｃとは、または、ＲＡＮ１０３ｂ／１０４ｂ／１０５ｂ内のＲＲＨ１１８ａ、１１８ｂ、ＴＲＰ１１９ａ、１１９ｂおよびＲＳＵ１２０ａ、１２０ｂとＷＴＲＵ１０２ｃ、１０２ｄ、１０２ｅ、１０２ｆとは、ユニバーサルモバイル電気通信システム（Universal  Mobile  Telecommunications  System：ＵＭＴＳ）、地上無線アクセス（Universal  Terrestrial  Radio  Access：ＵＴＲＡ）などの無線技術を実装してよく、それにより、広帯域ＣＤＭＡ（Wideband  CDMA：ＷＣＤＭＡ）を使用して、エアインターフェース１１５／１１６／１１７または１１５ｃ／１１６ｃ／１１７ｃをそれぞれ確立することができる。ＷＣＤＭＡは、高速パケットアクセス（High-Speed  Packet  Access：ＨＳＰＡ）または発展型ＨＳＰＡ（Evolved  HSPA：ＨＳＰＡ＋）などの通信プロトコルを含んでもよい。ＨＳＰＡは、高速下りリンクパケットアクセス（High-Speed  Downlink  Packet  Access：ＨＳＤＰＡ）または高速上りリンクパケットアクセス（High-Speed  Uplink  Packet  Access：ＨＳＵＰＡ）を含んでもよい。
【０１１０】
一例では、基地局１１４ａとＷＴＲＵ１０２ａ、１０２ｂ、１０２ｃとは、または、ＲＡＮ１０３ｂ／１０４ｂ／１０５ｂ内のＲＲＨ１１８ａ、１１８ｂ、ＴＲＰ１１９ａ、１１９ｂまたはＲＳＵ１２０ａ、１２０ｂとＷＴＲＵ１０２ｃ、１０２ｄとは、発展型ＵＭＴＳ地上無線アクセス（Evolved  UMTS  Terrestrial  Radio  Access：Ｅ−ＵＴＲＡ）などの無線技術を実装してよく、それにより、ロングタームエボリューション（ＬＴＥ）またはＬＴＥ−アドバンスト（LTE-Advanced：ＬＴＥ−Ａ）を使用して、エアインターフェース１１５／１１６／１１７または１１５ｃ／１１６ｃ／１１７ｃをそれぞれ確立することができる。将来、エアインターフェース１１５／１１６／１１７または１１５ｃ／１１６ｃ／１１７ｃは、３ＧＰＰ  ＮＲ技術を実装する可能性がある。ＬＴＥおよびＬＴＥ−Ａ技術は、（サイドリンク通信などの）ＬＴＥ  Ｄ２ＤおよびＶ２Ｘ技術およびインターフェースを含む場合がある。同様に、３ＧＰＰ  ＮＲ技術は、（サイドリンク通信などの）ＮＲ  Ｖ２Ｘ技術およびインターフェースを含む場合がある。
【０１１１】
ＲＡＮ１０３／１０４／１０５内の基地局１１４ａと、ＷＴＲＵ１０２ａ、１０２ｂ、１０２ｃおよび１０２ｇとは、または、ＲＡＮ１０３ｂ／１０４ｂ／１０５ｂ内のＲＲＨ１１８ａ、１１８ｂ、ＴＲＰ１１９ａ、１１９ｂまたはＲＳＵ１２０ａ、１２０ｂとＷＴＲＵ１０２ｃ、１０２ｄ、１０２ｅ、１０２ｆとは、ＩＥＥＥ８０２．１６（例えば、ワールドワイド・インターオペラビリティ・フォー・マイクロウェーブ・アクセス（Worldwide  Interoperability  For  Microwave  Access：ＷｉＭＡＸ））、ＣＤＭＡ２０００、ＣＤＭＡ２０００  １Ｘ、ＣＤＭＡ２０００  ＥＶ−ＤＯ、暫定規格２０００（Interim  Standard  2000：ＩＳ−２０００）、暫定規格９５（ＩＳ−９５）、暫定規格８５６（ＩＳ−８５６）、モバイル通信用グローバルシステム（Global  System  For  Mobile  Communications：ＧＳＭ（登録商標））、ＧＳＭ進化型高速データレート（Enhanced  Data  Rates  For  GSM  Evolution：ＥＤＧＥ）、ＧＳＭ  ＥＤＧＥ（ＧＥＲＡＮ）などの無線技術を実装してもよい。
【０１１２】
図９Ａにおける基地局１１４ｃは、無線ルータ、ホームＮｏｄｅ  Ｂ、ホームｅＮｏｄｅ  Ｂ、またはアクセスポイントであってもよく、本明細書で論じるような、ＮＲ−Ｕ用の無線リンク監視および無線リソース管理測定プロシージャの方法、システム、およびデバイスを実装するために、例えば、事業所、家、車両、列車、航空機、衛星、製造所、キャンパスなどの局所エリア内の無線コネクティビティを促進するために、任意の好適なＲＡＴを利用してもよい。一例では、基地局１１４ｃとＷＴＲＵ１０２、例えば、ＷＴＲＵ１０２ｅとは、ＩＥＥＥ８０２．１１などの無線技術を実装して、無線ローカルエリアネットワーク（Wireless  Local  Area  Network：ＷＬＡＮ）を確立してもよい。同様に、基地局１１４ｃとＷＴＲＵ１０２、例えば、ＷＴＲＵ１０２ｄとは、ＩＥＥＥ８０２．１５などの無線技術を実装して、無線パーソナルエリアネットワーク（Wireless  Personal  Area  Network：ＷＰＡＮ）を確立してもよい。さらに別の例では、基地局１１４ｃとＷＴＲＵ１０２、例えば、ＷＴＲＵ１０２ｅとは、セルラーベースのＲＡＴ（例えば、ＷＣＤＭＡ、ＣＤＭＡ２０００、ＧＳＭ、ＬＴＥ、ＬＴＥ−Ａ、ＮＲなど）を利用して、ピコセルまたはフェムトセルを確立してもよい。図９Ａに示すように、基地局１１４ｃは、インターネット１１０への直接接続を有する場合がある。したがって、基地局１１４ｃは、インターネット１１０にアクセスするために、コアネットワーク１０６／１０７／１０９を介する必要がない場合がある。
【０１１３】
ＲＡＮ１０３／１０４／１０５またはＲＡＮ１０３ｂ／１０４ｂ／１０５ｂは、コアネットワーク１０６／１０７／１０９と通信する場合があり、そのコアネットワークは、音声、データ、メッセージ送信、認可および認証、アプリケーション、またはボイスオーバーインターネットプロトコル（Voice  Over  Internet  Protocol：ＶｏＩＰ）サービスをＷＴＲＵ１０２ａ、１０２ｂ、１０２ｃ、１０２ｄのうちの１つまたは複数に提供するように構成される任意のタイプのネットワークであってもよい。例えば、コアネットワーク１０６／１０７／１０９は、コール制御、請求サービス、モバイル位置ベースサービス、プリペイドコール、インターネットコネクティビティ、パケットデータネットワークコネクティビティ、イーサーネットコネクティビティ、ビデオ配信などを提供するか、またはユーザ認証などの高レベルセキュリティ機能を実施してもよい。
【０１１４】
図９Ａでは図示されていないが、ＲＡＮ１０３／１０４／１０５またはＲＡＮ１０３ｂ／１０４ｂ／１０５ｂまたはコアネットワーク１０６／１０７／１０９は、ＲＡＮ１０３／１０４／１０５またはＲＡＮ１０３ｂ／１０４ｂ／１０５ｂと同じＲＡＴまたは異なるＲＡＴを採用する他のＲＡＮと直接または間接通信してもよいことを理解されよう。例えば、Ｅ−ＵＴＲＡ無線技術を利用することがあるＲＡＮ１０３／１０４／１０５またはＲＡＮ１０３ｂ／１０４ｂ／１０５ｂに接続されることに加え、コアネットワーク１０６／１０７／１０９はまた、ＧＳＭまたはＮＲ無線技術を採用する別のＲＡＮ（図示せず）と通信してもよい。
【０１１５】
コアネットワーク１０６／１０７／１０９はまた、ＷＴＲＵ１０２ａ、１０２ｂ、１０２ｃ、１０２ｄ、１０２ｅがＰＳＴＮ１０８、インターネット１１０、またはその他のネットワーク１１２にアクセスするために、ゲートウェイとして機能してもよい。ＰＳＴＮ１０８は、基本電話サービス（Plain  Old  Telephone  Service：ＰＯＴＳ）を提供する回線交換電話ネットワークを含んでもよい。インターネット１１０は、伝送制御プロトコル（Transmission  Control  Protocol：ＴＣＰ）、ユーザデータグラムプロトコル（User  Datagram  Protocol：ＵＤＰ）、およびＴＣＰ／ＩＰインターネットプロトコルスイートのインターネットプロトコル（Internet  Protocol：ＩＰ）などの共通通信プロトコルを使用する、相互接続されたコンピュータネットワークおよびデバイスのグローバルシステムを含んでもよい。ネットワーク１１２は、他のサービスプロバイダによって所有または操作される、有線または無線通信ネットワークを含んでもよい。例えば、ネットワーク１１２は、任意のタイプのパケットデータネットワーク（例えば、ＩＥＥＥ８０２．３イーサネット（登録商標）ネットワーク）か、もしくは、ＲＡＮ１０３／１０４／１０５またはＲＡＮ１０３ｂ／１０４ｂ／１０５ｂと同じＲＡＴまたは異なるＲＡＴを採用することがある１つまたは複数のＲＡＮに接続される別のコアネットワークを含んでもよい。
【０１１６】
通信システム１００内のＷＴＲＵ１０２ａ、１０２ｂ、１０２ｃ、１０２ｄ、１０２ｅおよび１０２ｆの一部または全ては、マルチモード能力を備えていてもよく、例えば、ＷＴＲＵ１０２ａ、１０２ｂ、１０２ｃ、１０２ｄ、１０２ｅおよび１０２ｆは、本明細書にて開示するＮＲ−Ｕ用の無線リンク監視および無線リソース管理測定プロシージャの方法、システムおよびデバイスを実装するために、異なる無線リンクを通して異なる無線ネットワークと通信する複数の送受信機を備えていてもよい。例えば、図９Ａに示すＷＴＲＵ１０２ｇは、セルラーベースの無線技術を採用することがある基地局１１４ａ、およびＩＥＥＥ８０２無線技術を採用することがある基地局１１４ｃと通信するように構成されてもよい。
【０１１７】
図９Ａには図示されていないが、ユーザ端末がゲートウェイへの有線接続を作る場合があることを理解されよう。ゲートウェイは、レジデンシャルゲートウェイ（Residential  Gateway：ＲＧ）である場合がある。ＲＧは、コアネットワーク１０６／１０７／１０９へのコネクティビティを提供する場合がある。本明細書に含まれる着想の多数が、ＷＴＲＵであるＵＥおよびネットワークに接続する有線接続を使用するＵＥに同様に適用される場合があることはいうまでもない。例えば、無線インターフェース１１５、１１６、１１７および１１５ｃ／１１６ｃ／１１７ｃに適用される着想は、有線接続に同様に適用されてよい。
【０１１８】
図９Ｂは、本明細書にて開示するＮＲ−Ｕ用の無線リンク監視および無線リソース管理測定プロシージャの方法、システム、およびデバイスを実装する場合があるＲＡＮ１０３およびコアネットワーク１０６の一例のシステム図である。上記のように、ＲＡＮ１０３はＵＴＲＡ無線技術を採用して、エアインターフェース１１５を通してＷＴＲＵ１０２ａ、１０２ｂおよび１０２ｃと通信してよい。ＲＡＮ１０３はまた、コアネットワーク１０６と通信してもよい。図９Ｂに示すように、ＲＡＮ１０３は、エアインターフェース１１５を通してＷＴＲＵ１０２ａ、１０２ｂおよび１０２ｃと通信するために、１つまたは複数の送受信機をそれぞれが備えることがある、Ｎｏｄｅ−Ｂ１４０ａ、１４０ｂおよび１４０ｃを含む場合がある。Ｎｏｄｅ−Ｂ１４０ａ、１４０ｂおよび１４０ｃはそれぞれ、ＲＡＮ１０３内の特定のセル（図示せず）に関連付けられてよい。ＲＡＮ１０３はまた、ＲＮＣ１４２ａ、１４２ｂを含む場合がある。ＲＡＮ１０３は、任意の数のＮｏｄｅ−Ｂおよび無線ネットワーク制御装置（ＲＮＣ）を含む場合があることを理解されよう。
【０１１９】
図９Ｂに示すように、Ｎｏｄｅ−Ｂ１４０ａ、１４０ｂは、ＲＮＣ１４２ａと通信する場合がある。加えて、Ｎｏｄｅ−Ｂ１４０ｃは、ＲＮＣ１４２ｂと通信する場合がある。Ｎｏｄｅ−Ｂ１４０ａ、１４０ｂおよび１４０ｃは、Ｉｕｂインターフェースを介して、対応するＲＮＣ１４２ａおよび１４２ｂと通信してもよい。ＲＮＣ１４２ａおよび１４２ｂは、Ｉｕｒインターフェースを介して、相互に通信してもよい。ＲＮＣ１４２ａおよび１４２ｂのそれぞれは、接続されているそれぞれのＮｏｄｅ−Ｂ１４０ａ、１４０ｂおよび１４０ｃを制御するように構成されてよい。加えて、ＲＮＣ１４２ａ、１４２ｂのそれぞれは、アウターループ電力制御、負荷制御、受付制御、パケットスケジューリング、ハンドオーバ制御、マクロダイバーシチ、セキュリティ機能、データ暗号化などの他の機能を実行、またはサポートするように構成されてよい。
【０１２０】
図９Ｂに示されるコアネットワーク１０６は、メディアゲートウェイ（Media  Gateway：ＭＧＷ）１４４、移動通信交換局（Mobile  Switching  Center：ＭＳＣ）１４６、サービングＧＰＲＳサポートノード（Serving  GPRS  Support  Node：ＳＧＳＮ）１４８、またはゲートウェイＧＰＲＳサポートノード（Gateway  GPRS  Support  Node：ＧＧＳＮ）１５０を含む場合がある。上述の要素のそれぞれが、コアネットワーク１０６の一部として表されているが、これらの要素のうちの任意の１つは、コアネットワークオペレータ以外のエンティティによって所有または操作される場合があることを理解されよう。
【０１２１】
ＲＡＮ１０３内のＲＮＣ１４２ａは、ＩｕＣＳインターフェースを介して、コアネットワーク１０６内のＭＳＣ１４６に接続されてよい。ＭＳＣ１４６は、ＭＧＷ１４４に接続されてよい。ＭＳＣ１４６およびＭＧＷ１４４は、ＷＴＲＵ１０２ａ、１０２ｂおよび１０２ｃに、ＰＳＴＮ１０８などの回線交換網へのアクセスを提供し、ＷＴＲＵ１０２ａ、１０２ｂおよび１０２ｃと、従来の地上通信デバイスとの間の通信を促進してもよい。
【０１２２】
ＲＡＮ１０３内のＲＮＣ１４２ａはまた、ＩｕＰＳインターフェースを介して、コアネットワーク１０６内のＳＧＳＮ１４８に接続されてよい。ＳＧＳＮ１４８は、ＧＧＳＮ１５０に接続されてよい。ＳＧＳＮ１４８およびＧＧＳＮ１５０は、ＷＴＲＵ１０２ａ、１０２ｂおよび１０２ｃに、インターネット１１０などのパケット交換ネットワークへのアクセスを提供し、ＷＴＲＵ１０２ａ、１０２ｂおよび１０２ｃ、とＩＰ対応デバイスとの間の通信を促進してもよい。
【０１２３】
コアネットワーク１０６はまた、他のサービスプロバイダによって所有または操作される他の有線または無線ネットワークを含むことがあるその他のネットワーク１１２に接続されてよい。
【０１２４】
図９Ｃは、本明細書にて開示するＮＲ−Ｕ用の無線リンク監視および無線リソース管理測定プロシージャの方法、システム、およびデバイスを実装する場合があるＲＡＮ１０４およびコアネットワーク１０７の一例のシステム図である。上記のように、ＲＡＮ１０４は、Ｅ−ＵＴＲＡ無線技術を採用し、エアインターフェース１１６を通してＷＴＲＵ１０２ａ、１０２ｂおよび１０２ｃと通信してよい。ＲＡＮ１０４はまた、コアネットワーク１０７と通信してもよい。
【０１２５】
ＲＡＮ１０４は、ｅＮｏｄｅ−Ｂ１６０ａ、１６０ｂおよび１６０ｃを含むことがあるが、ＲＡＮ１０４は、任意の数のｅＮｏｄｅ−Ｂを含んでもよいことを理解されるであろう。ｅＮｏｄｅ−Ｂ１６０ａ、１６０ｂおよび１６０ｃはそれぞれ、エアインターフェース１１６を通してＷＴＲＵ１０２ａ、１０２ｂおよび１０２ｃと通信するために、１つまたは複数の送受信機を備えていてもよい。例えば、ｅＮｏｄｅ−Ｂ１６０ａ、１６０ｂおよび１６０ｃは、ＭＩＭＯ技術を実装してもよい。したがって、ｅＮｏｄｅ−Ｂ１６０ａは、例えば、ＷＴＲＵ１０２ａに無線信号を伝送し、かつＷＴＲＵ１０２ａから無線信号を受信するために、複数のアンテナを使用することがある。
【０１２６】
ｅＮｏｄｅ−Ｂ１６０ａ、１６０ｂおよび１６０ｃのそれぞれは、特定のセル（図示せず）に関連付けられてよく、かつ無線リソース管理決定、ハンドオーバ決定、上りリンクまたは下りリンクにおけるユーザのスケジューリングなどを取り扱うように構成されてよい。図９Ｃに示すように、ｅＮｏｄｅ−Ｂ１６０ａ、１６０ｂおよび１６０ｃは、Ｘ２インターフェースを通じて相互に通信してもよい。
【０１２７】
図９Ｃに示されるコアネットワーク１０７は、モビリティ管理ゲートウェイ（Mobility  Management  Gateway：ＭＭＥ）１６２、サービングゲートウェイ１６４、およびパケットデータネットワーク（Packet  Data  Network：ＰＤＮ）ゲートウェイ１６６を含む場合がある。上述の要素のそれぞれが、コアネットワーク１０７の一部として表されているが、これらの要素のうちの任意の１つは、コアネットワークオペレータ以外のエンティティによって所有または操作される場合があることを理解されよう。
【０１２８】
ＭＭＥ１６２は、Ｓ１インターフェースを介して、ＲＡＮ１０４内のｅＮｏｄｅ−Ｂ１６０ａ、１６０ｂおよび１６０ｃのそれぞれに接続されてもよく、制御ノードとして機能してもよい。例えば、ＭＭＥ１６２は、ＷＴＲＵ１０２ａ、１０２ｂおよび１０２ｃのユーザを認証すること、ベアラアクティブ化／非アクティブ化、ＷＴＲＵ１０２ａ、１０２ｂおよび１０２ｃの初期接続の間に特定のサービングゲートウェイを選択することなどの役割を担ってもよい。ＭＭＥ１６２はまた、ＲＡＮ１０４と、ＧＳＭまたはＷＣＤＭＡなどの他の無線技術を採用する他のＲＡＮ（図示せず）との間を切り替えるために、制御プレーン機能を提供してもよい。
【０１２９】
サービングゲートウェイ１６４は、Ｓ１インターフェースを介して、ＲＡＮ１０４内のｅＮｏｄｅ−Ｂ１６０ａ、１６０ｂおよび１６０ｃのそれぞれに接続されてよい。サービングゲートウェイ１６４は、概して、ＷＴＲＵ１０２ａ、１０２ｂおよび１０２ｃへ／ＷＴＲＵ１０２ａ、１０２ｂおよび１０２ｃからユーザデータパケットをルーティングおよび転送してよい。サービングゲートウェイ１６４はまた、ｅＮｏｄｅＢ間ハンドオーバの間のユーザプレーンのアンカ、下りリンクデータがＷＴＲＵ１０２ａ、１０２ｂおよび１０２ｃに対して利用可能であるときのページングのトリガ、ＷＴＲＵ１０２ａ、１０２ｂおよび１０２ｃのコンテキストの管理および記憶などの他の機能を実施してよい。
【０１３０】
サービングゲートウェイ１６４はまた、ＷＴＲＵ１０２ａ、１０２ｂ、１０２ｃに、インターネット１１０などのパケット交換ネットワークへのアクセスを提供し、ＷＴＲＵ１０２ａ、１０２ｂ、１０２ｃと、ＩＰ対応デバイスとの間の通信を促進することがあるＰＤＮゲートウェイ１６６に接続されてよい。
【０１３１】
コアネットワーク１０７は、他のネットワークとの通信を促進してもよい。例えば、コアネットワーク１０７は、ＷＴＲＵ１０２ａ、１０２ｂおよび１０２ｃに、ＰＳＴＮ１０８などの回線交換網へのアクセスを提供し、ＷＴＲＵ１０２ａ、１０２ｂおよび１０２ｃと従来の地上通信デバイスとの間の通信を促進してもよい。例えば、コアネットワーク１０７は、コアネットワーク１０７とＰＳＴＮ１０８との間のインターフェースとして機能する、ＩＰゲートウェイ（例えば、ＩＰマルチメディアサブシステム（IP  Multimedia  Subsystem：ＩＭＳ）サーバ）を含むか、またはそれと通信してよい。加えて、コアネットワーク１０７は、ＷＴＲＵ１０２ａ、１０２ｂおよび１０２ｃに、他のサービスプロバイダによって所有または操作される他の有線または無線ネットワークを含むことがあるネットワーク１１２へのアクセスを提供してもよい。
【０１３２】
図９Ｄは、本明細書にて開示するＮＲ−Ｕ用の無線リンク監視および無線リソース管理測定プロシージャの方法、システム、およびデバイスを実装する場合があるＲＡＮ１０５およびコアネットワーク１０９の一例のシステム図である。ＲＡＮ１０５はＮＲ無線技術を採用し、エアインターフェース１１７を通してＷＴＲＵ１０２ａおよび１０２ｂと通信してよい。ＲＡＮ１０５はまた、コアネットワーク１０９と通信してもよい。非３ＧＰＰインターワーキング機能（Non-3GPP  Interworking  Function：Ｎ３ＩＷＦ）１９９は、非３ＧＰＰ無線技術を採用して、エアインターフェース１９８を通してＷＴＲＵ１０２ｃと通信してもよい。Ｎ３ＩＷＦ１９９はまた、コアネットワーク１０９と通信してもよい。
【０１３３】
ＲＡＮ１０５は、ｇＮｏｄｅ−Ｂ１８０ａおよび１８０ｂを含んでもよい。ＲＡＮ１０５は、任意の数のｇＮｏｄｅ−Ｂを含む場合があることを理解されよう。ｇＮｏｄｅ−Ｂ１８０ａおよび１８０ｂはそれぞれ、エアインターフェース１１７を通してＷＴＲＵ１０２ａおよび１０２ｂと通信するために、１つまたは複数の送受信機を備えていてもよい。統合アクセスおよびバックホール接続が使用されるときに、同じエアインターフェースが、ＷＴＲＵと、１つまたは複数のｇＮＢを介したコアネットワーク１０９である場合があるｇＮｏｄｅ−Ｂとの間で使用されてよい。ｇＮｏｄｅ−Ｂ１８０ａおよび１８０ｂは、ＭＩＭＯ、ＭＵ−ＭＩＭＯ、またはデジタルビームフォーミング技術を実装してもよい。したがって、ｇＮｏｄｅ−Ｂ１８０ａは、例えば、ＷＴＲＵ１０２ａに無線信号を伝送し、かつＷＴＲＵ１０２ａから無線信号を受信するために、複数のアンテナを使用することがある。ＲＡＮ１０５は、ｅＮｏｄｅ−Ｂなどの他のタイプの基地局を採用する場合があることが理解されるべきである。ＲＡＮ１０５は、２つ以上のタイプの基地局を採用する場合があることも理解されよう。例えば、ＲＡＮは、ｅＮｏｄｅ−ＢおよびｇＮｏｄｅ−Ｂを採用する場合がある。
【０１３４】
Ｎ３ＩＷＦ１９９は、非３ＧＰＰアクセスポイント１８０ｃを含む場合がある。Ｎ３ＩＷＦ１９９は、任意の数の非３ＧＰＰアクセスポイントを含む場合があることを理解されよう。非３ＧＰＰアクセスポイント１８０ｃは、エアインターフェース１９８を通してＷＴＲＵ１０２ｃと通信するために、１つまたは複数の送受信機を含んでよい。非３ＧＰＰアクセスポイント１８０ｃは、８０２．１１プロトコルを使用して、エアインターフェース１９８を通してＷＴＲＵ１０２ｃと通信してもよい。
【０１３５】
ｇＮｏｄｅ−Ｂ１８０ａおよび１８０ｂのそれぞれは、特定のセル（図示せず）に関連付けられてよく、かつ無線リソース管理決定、ハンドオーバ決定、上りリンクまたは下りリンクにおけるユーザのスケジューリングなどを取り扱うように構成されてよい。図９Ｄに示すように、ｇＮｏｄｅ−Ｂ１８０ａおよび１８０ｂは、例えば、Ｘｎインターフェースを通して相互に通信してもよい。
【０１３６】
図９Ｄに示されるコアネットワーク１０９は、５Ｇコアネットワーク（5G  Core  Network：５ＧＣ）である場合がある。コアネットワーク１０９は、無線アクセスネットワークによって相互接続する顧客に、非常に多くの通信サービスを提供する場合がある。コアネットワーク１０９は、コアネットワークの機能を実施するいくつかのエンティティを含む。本明細書で使用する場合、用語「コアネットワークエンティティ」または「ネットワーク機能」は、コアネットワークの１つまたは複数の機能を実施する任意のエンティティを意味する。コアネットワークエンティティは、無線またはネットワーク通信、もしくは図９Ｇに示されるシステム９０などのコンピュータシステム向けに構成された装置のメモリに記憶され、かつ該装置のプロセッサで実行するコンピュータ実行可能命令（ソフトウェア）の形態で実装される論理的エンティティであってもよいことが理解される。
【０１３７】
図９Ｄの例では、５Ｇコアネットワーク１０９は、アクセスモビリティ管理機能（Access  And  Mobility  Management  Function：ＡＭＦ）１７２、セッション管理機能（Session  Management  Function：ＳＭＦ）１７４、ユーザプレーン機能（User  Plane  Function：ＵＰＦ）１７６ａおよび１７６ｂ、ユーザデータ管理機能（User  Data  Management  Function：ＵＤＭ）１９７、認証サーバ機能（Authentication  Server  Function：ＡＵＳＦ）１９０、ネットワーク・エクスポージャ機能（Network  Exposure  Function：ＮＥＦ）１９６、ポリシー制御機能（Policy  Control  Function：ＰＣＦ）１８４、非３ＧＰＰインターワーキング機能（Ｎ３ＩＷＦ）１９９、ユーザデータリポジトリ（User  Data  Repository：ＵＤＲ）１７８を含む場合がある。上述の要素のそれぞれが、５Ｇコアネットワーク１０９の一部として表されているが、これらの要素のうちの任意の１つは、コアネットワークオペレータ以外のエンティティによって所有または操作されてもよいことを理解されよう。５Ｇコアネットワークが、これらの要素の全てで構成されない場合があり、追加の要素で構成される場合もあり、かつ各これらの要素の複数のインスタンスで構成される場合があることを理解されよう。各ネットワーク機能は、相互に直接接続することが図９Ｄに示されているが、Ｄｉａｍｅｔｅｒルーティングエージェントまたはメッセージバスなどのルーティングエージェントを介して通信される場合があることが理解されるべきである。
【０１３８】
図９Ｄの例では、ネットワーク機能間のコネクティビティは、インターフェースまたは参照点のセットを介して実現されている。ネットワーク機能は、他のネットワーク機能またはサービスによって起動されるか、または呼び出されるサービスのセットとして、モデル化、記述、または実装される場合があることが理解されよう。ネットワーク機能サービスの起動は、ネットワーク機能間の直接接続、メッセージバスでのメッセージング交換、ソフトウェア機能の呼び出しを介して実現することができる。
【０１３９】
ＡＭＦ１７２は、Ｎ２インターフェースを介してＲＡＮ１０５に接続されてよく、制御ノードとして機能してもよい。例えば、ＡＭＦ１７２は、登録管理、接続管理、到達可能性管理、アクセス認証、アクセス許可の役割を担ってもよい。ＡＭＦは、Ｎ２インターフェースを介してＲＡＮ１０５にユーザプレーントンネル構成情報を送達する役割を担ってもよい。ＡＭＦ１７２は、Ｎ１１インターフェースを介してＳＭＦからユーザプレーントンネル構成情報を受信する場合がある。ＡＭＦ１７２は、概して、Ｎ１インターフェースを介してＷＴＲＵ１０２ａ、１０２ｂおよび１０２ｃへ／からＮＡＳパケットをルーティングおよび転送してもよい。Ｎ１インターフェースは、図９Ｄに示されていない。
【０１４０】
ＳＭＦ１７４は、Ｎ１１インターフェースを介してＡＭＦ１７２に接続されてよい。同様に、ＳＭＦは、Ｎ７インターフェースを介してＰＣＦ１８４に、またＮ４インターフェースを介してＵＰＦ１７６ａおよび１７６ｂに接続されてよい。ＳＭＦ１７４は、制御ノードとして機能してもよい。例えば、ＳＭＦ１７４は、セッション管理、ＷＴＲＵ１０２ａ、１０２ｂおよび１０２ｃに対するＩＰアドレス割り当て、ＵＰＦ１７６ａおよびＵＰＦ１７６ｂにおけるトラフィックを導く規則の管理および構成、ならびにＡＭＦ１７２への下りリンクデータ通知の生成の役割を担ってもよい。
【０１４１】
ＵＰＦ１７６ａおよびＵＰＦ１７６ｂは、ＷＴＲＵ１０２ａ、１０２ｂおよび１０２ｃに、インターネット１１０などのパケットデータネットワーク（ＰＤＮ）へのアクセスを提供し、ＷＴＲＵ１０２ａ、１０２ｂおよび１０２ｃと他のデバイスとの間の通信を促進してもよい。ＵＰＦ１７６ａおよびＵＰＦ１７６ｂはまた、ＷＴＲＵ１０２ａ、１０２ｂおよび１０２ｃに、他のタイプのパケットデータネットワークへのアクセスを提供してもよい。例えば、その他のネットワーク１１２は、イーサネットネットワークまたはデータのパケットを交換する任意のタイプのネットワークであってもよい。ＵＰＦ１７６ａおよびＵＰＦ１７６ｂは、Ｎ４インターフェースを介して、ＳＭＦ１７４からトラフィックを導く規則を受信してもよい。ＵＰＦ１７６ａおよびＵＰＦ１７６ｂは、Ｎ６インターフェースを用いてパケットデータネットワークを接続することによって、またはＮ９インターフェースを用いて互いに、かつ他のＵＰＦと接続することによって、パケットデータネットワークへのアクセスを提供してもよい。パケットデータネットワークへのアクセスの提供に加えて、ＵＰＦ１７６は、パケットルーティングおよび転送、ポリシー規則施行、ユーザプレーントラフィックに対するサービス品質管理、下りリンクパケットのバッファリングの役割を担ってもよい。
【０１４２】
ＡＭＦ１７２はまた、例えば、Ｎ２インターフェースを介してＮ３ＩＷＦ１９９に接続されてよい。Ｎ３ＩＷＦは、例えば、３ＧＰＰ規定ではない無線インターフェース技術を介して、ＷＴＲＵ１０２ｃと５Ｇコアネットワーク１０９との間の接続を促進する。ＡＭＦは、ＲＡＮ１０５と相互作用するのと同じかまたは類似の方式でＮ３ＩＷＦ１９９と相互作用する場合がある。
【０１４３】
ＰＣＦ１８４は、Ｎ７インターフェースを介してＳＭＦ１７４に接続されてよく、Ｎ１５インターフェースを介してＡＭＦ１７２に接続していてもよく、Ｎ５インターフェースを介してアプリケーション機能（Application  Function：ＡＦ）１８８に接続していてもよい。Ｎ１５およびＮ５インターフェースは、図９Ｄに示されていない。ＰＣＦ１８４は、ＡＭＦ１７２およびＳＭＦ１７４などの制御プレーンノードにポリシー規則を提供して、各制御プレーンノードが、これらの規則を施行できるようにしてもよい。ＰＣＦ１８４は、ＡＭＦ１７２に、ＷＴＲＵ１０２ａ、１０２ｂおよび１０２ｃ向けのポリシーを送信することがあり、その結果、ＡＭＦはＮ１インターフェースを介してＷＴＲＵ１０２ａ、１０２ｂおよび１０２ｃにポリシーを配信する場合がある。次に、ポリシーは、ＷＴＲＵ１０２ａ、１０２ｂおよび１０２ｃで施行または適用される場合がある。
【０１４４】
ＵＤＲ１７８は、認証証明書およびサブスクリプション情報のリポジトリとして機能する。ＵＤＲは、ネットワーク機能に接続する場合があり、その結果、ネットワーク機能は、リポジトリ内のデータに追加、データから読み出し、データを修正することができる。例えば、ＵＤＲ１７８は、Ｎ３６インターフェースを介してＰＣＦ１８４に接続する場合がある。同様に、ＵＤＲ１７８は、Ｎ３７インターフェースを介してＮＥＦ１９６に接続し、かつＮ３５インターフェースを介してＵＤＭ１９７に接続する場合がある。
【０１４５】
ＵＤＭ１９７は、ＵＤＲ１７８とその他のネットワーク機能との間のインターフェースとして機能する場合がある。ＵＤＭ１９７は、ＵＤＲ１７８のアクセスに対してネットワーク機能に権限を与える場合がある。例えば、ＵＤＭ１９７は、Ｎ８インターフェースを介してＡＭＦ１７２に接続し、Ｎ１０インターフェースを介してＳＭＦ１７４に接続する場合がある。同様に、ＵＤＭ１９７は、Ｎ１３インターフェースを介してＡＵＳＦ１９０に接続する場合がある。ＵＤＲ１７８およびＵＤＭ１９７は、密接に統合される場合がある。
【０１４６】
ＡＵＳＦ１９０は、認証関連操作を実施し、かつＮ１３インターフェースを介してＵＤＭ１７８に、Ｎ１２インターフェースを介してＡＭＦ１７２に接続する。
【０１４７】
ＮＥＦ１９６は、５Ｇコアネットワーク１０９内の能力およびサービスをアプリケーション機能（ＡＦ）１８８にエクスポーズする。エクスポーズは、Ｎ３３  ＡＰＩインターフェースで生じる場合がある。ＮＥＦは、Ｎ３３インターフェースを介してＡＦ１８８に接続する場合があり、かつ他のネットワーク機能に接続して、５Ｇコアネットワーク１０９の能力およびサービスをエクスポーズする場合がある。
【０１４８】
アプリケーション機能１８８は、５Ｇコアネットワーク１０９内のネットワーク機能と相互作用する場合がある。アプリケーション機能１８８と、ネットワーク機能との間の相互作用は、ダイレクトインターフェースを介したものであるか、またはＮＥＦ１９６を介して生じる場合がある。アプリケーション機能１８８は、５Ｇコアネットワーク１０９の一部と見なされるか、または５Ｇコアネットワーク１０９への外部のものである場合があり、かつモバイルネットワークオペレータと業務的な関係を有する企業によって配備される場合がある。
【０１４９】
ネットワークスライシングは、オペレータのエアインターフェースの背後で１つまたは複数の「仮想」コアネットワークをサポートするモバイルネットワークオペレータによって使用される場合があるメカニズムである。これは、異なるＲＡＮ、または単一のＲＡＮにわたって動作する異なるサービスタイプをサポートするために、コアネットワークを１つまたは複数の仮想ネットワークに「スライシング」することに関連する。ネットワークスライシングは、オペレータが、例えば、機能性、性能、分離における多様な要件を求める異なる市場シナリオ向けにカスタマイズされたネットワークを構築し、最適化されたソリューションを提供することを可能にする。
【０１５０】
３ＧＰＰは、ネットワークスライシングをサポートするように５Ｇコアネットワークを設計してきた。ネットワークスライシングは、ネットワークオペレータが、非常に多様で、かつ多大な要件が求められることが多い５Ｇユースケースの多様なセット（例えば、大規模ＩｏＴ、クリティカル通信、Ｖ２Ｘ、および高度化モバイルブロードバンド）をサポートするために使用することができる良好なツールである。各ユースケースが、性能、拡張性、および可用性要件のそれ自体固有のセットを有する場合、ネットワークスライシング技術の使用なしでは、ネットワークアーキテクチャは、広範なユースケースニーズを効率的にサポートするのに十分な柔軟性および拡張性がない可能性がある。さらに、新しいネットワークサービスの導入は、より効率的に行われなければならない。
【０１５１】
図９Ｄを再度参照し、ネットワークスライシングのシナリオでは、ＷＴＲＵ１０２ａ、１０２ｂまたは１０２ｃは、Ｎ１インターフェースを介してＡＭＦ１７２に接続する場合がある。ＡＭＦは、論理的に１つまたは複数のスライスの一部である場合がある。ＡＭＦは、ＷＴＲＵ１０２ａ、１０２ｂまたは１０２ｃと、１つまたは複数のＵＰＦ１７６ａおよび１７６ｂ、ＳＭＦ１７４、およびその他のネットワーク機能との接続または通信を調整する場合がある。ＵＰＦ１７６ａおよび１７６ｂ、ＳＭＦ１７４、およびその他のネットワーク機能のそれぞれは、同じスライスまたは異なるスライスの一部である場合がある。それらが異なるスライスの一部である場合、それらが異なるコンピューティングリソース、セキュリティ証明書を利用する場合があるという点で、それらは互いに分離されている場合がある。
【０１５２】
コアネットワーク１０９は、他のネットワークとの通信を促進する場合がある。例えば、コアネットワーク１０９は、５Ｇコアネットワーク１０９と、ＰＳＴＮ１０８との間のインターフェースとして機能するＩＰマルチメディアサブシステム（ＩＭＳ）サーバなどの、ＩＰゲートウェイを含むか、またはそれと通信する場合がある。例えば、コアネットワーク１０９は、ショートメッセージサービスを介して通信を促進するショートメッセージサービス（Short  Message  Service：ＳＭＳ）サービスセンターを含むか、またはそれと通信する場合がある。例えば、５Ｇコアネットワーク１０９は、ＷＴＲＵ１０２ａ、１０２ｂおよび１０２ｃと、サーバまたはアプリケーション機能１８８との間の非ＩＰデータパケットの交換を促進する場合がある。加えて、コアネットワーク１０９は、ＷＴＲＵ１０２ａ、１０２ｂおよび１０２ｃに、他のサービスプロバイダによって所有または操作される他の有線または無線ネットワークを含むことがあるネットワーク１１２へのアクセスを提供してもよい。
【０１５３】
本明細書に記載され、かつ図９Ａ、図９Ｃ、図９Ｄ、図９Ｅに図示される、コアネットワークエンティティは、一定の既存の３ＧＰＰ仕様におけるそれらのエンティティに与えられる名称によって識別されるが、将来において、それらのエンティティおよび機能は、他の名称によって識別される可能性があり、ある種のエンティティまたは機能は、将来的３ＧＰＰ  ＮＲ仕様を含む、３ＧＰＰによって公開される将来的な仕様において組み合わせられる場合があることを理解されたい。したがって、図９Ａ、図９Ｂ、図９Ｃ、図９Ｄまたは図９Ｅで、記載および図示される特定のネットワークエンティティおよび機能は、例としてのみ提供され、本明細書で開示および請求される主題は、現在規定されているか、または将来的に規定されるかどうかにかかわらず、任意の類似通信システムにおいて具現化または実装される場合があることを理解されたい。
【０１５４】
図９Ｅは、本明細書に記載されるＮＲ−Ｕ用の無線リンク監視および無線リソース管理測定プロシージャを実装するシステム、方法、装置が使用される場合がある通信システム１１１の一例を示す。通信システム１１１は、無線伝送／受信ユニット（ＷＴＲＵ）Ａ、Ｂ、Ｃ、Ｄ、Ｅ、Ｆ、基地局ｇＮＢ１２１、Ｖ２Ｘサーバ１２４、およびロードサイドユニット（ＲＳＵ）１２３ａおよび１２３ｂを含む場合がある。実際には、本明細書で提示される概念は、任意の数のＷＴＲＵ、基地局ｇＮＢ、Ｖ２Ｘネットワーク、またはその他のネットワーク要素に適用されてよい。１つまたはいくつか、もしくは全てのＷＴＲＵ  Ａ、Ｂ、Ｃ、Ｄ、ＥおよびＦは、アクセスネットワークカバレッジ１３１の範囲外にある場合がある。Ｖ２ＸグループのＷＴＲＵ  Ａ、ＢおよびＣの中で、ＷＴＲＵ  Ａはグループを先導するものであり、またＷＴＲＵ  ＢおよびＣはグループメンバである。
【０１５５】
ＷＴＲＵ  Ａ、Ｂ、Ｃ、Ｄ、ＥおよびＦは、それらがアクセスネットワークカバレッジ１３１内にある場合、ｇＮＢ１２１を介して、Ｕｕインターフェース１２９を通して互いに通信する場合がある。図９Ｅの例では、ＷＴＲＵ  ＢおよびＦは、アクセスネットワークカバレッジ１３１内に示されている。ＷＴＲＵ  Ａ、Ｂ、Ｃ、Ｄ、ＥおよびＦは、インターフェース１２５ａ、１２５ｂまたは１２８などのサイドリンクインターフェース（例えば、ＰＣ５またはＮＲ  ＰＣ５）を介して、それらが、アクセスネットワークカバレッジ１３１下にある、またはアクセスネットワークカバレッジ１３１外にあるかどうかに関係なく直接、互いに通信する場合がある。例えば、図９Ｅの例では、アクセスネットワークカバレッジ１３１外にあるＷＴＲＵ  Ｄは、カバレッジ１３１内にあるＷＴＲＵ  Ｆと通信する。
【０１５６】
ＷＴＲＵ  Ａ、Ｂ、Ｃ、Ｄ、ＥおよびＦは、ビークル・ツー・ネットワーク（Ｖ２Ｎ）１３３またはサイドリンクインターフェース１２５ｂを介して、ＲＳＵ１２３ａおよび１２３ｂと通信する場合がある。ＷＴＲＵ  Ａ、Ｂ、Ｃ、Ｄ、ＥおよびＦは、ビークル・ツー・インフラストラクチャ（Ｖ２Ｉ）インターフェース１２７を介して、Ｖ２Ｘサーバ１２４に通信する場合がある。ＷＴＲＵ  Ａ、Ｂ、Ｃ、Ｄ、ＥおよびＦは、ビークル・ツー・パーソン（Ｖ２Ｐ）インターフェース１２８を介して、別のＵＥと通信する場合がある。
【０１５７】
図９Ｆは、図９Ａ、図９Ｂ、図９Ｃ、図９Ｄまたは図９Ｅ、もしくは、図４から図６のＷＴＲＵ１０２など、本明細書に記載される、ＮＲ−Ｕ用の無線リンク監視および無線リソース管理測定プロシージャを実装するシステム、方法および装置に従って、無線通信および操作向けに構成される場合がある、装置またはデバイスＷＴＲＵ１０２の例のブロック図である。図９Ｆに示すように、例示的ＷＴＲＵ１０２は、プロセッサ１１８、送受信機１２０、伝送／受信要素１２２、スピーカ／マイクロホン１２４、キーパッド１２６、ディスプレイ／タッチパッド／インジケータ１２８、非取り外し可能メモリ１３０、取り外し可能メモリ１３２、電源１３４、全地球測位システム（Global  Positioning  System：ＧＰＳ）チップセット１３６、および他の周辺機器１３８を備える場合がある。ＷＴＲＵ１０２は、上述の要素の任意の副次的組み合わせを備える場合があることを理解されたい。限定ではないが、とりわけ、送受信機基地局（ＢＴＳ）、Ｎｏｄｅ−Ｂ、サイトコントローラ、アクセスポイント（ＡＰ）、ホームＮｏｄｅ−Ｂ、発展型ホームＮｏｄｅ−Ｂ（Evolved  Home  Node-B：ｅＮｏｄｅＢ）、ホーム発展型Ｎｏｄｅ−Ｂ（Home  Evolved  Node-B：ＨｅＮＢ）、ホーム発展型Ｎｏｄｅ−Ｂゲートウェイ、次世代ｎｏｄｅ−Ｂ（Next  Generation  Node-B：ｇＮｏｄｅ−Ｂ）およびプロキシノードなどの基地局１１４ａおよび１１４ｂ、または基地局１１４ａおよび１１４ｂを意味する場合があるノードは、図９Ｆに描写する要素の一部または全部を備えていてもよく、本明細書に記載される、ＮＲ−Ｕ用の無線リンク監視および無線リソース管理測定プロシージャのために、開示したシステムおよび方法を実施する例示的実装形態であってもよい。
【０１５８】
プロセッサ１１８は、汎用プロセッサ、特殊目的プロセッサ、従来のプロセッサ、デジタル信号プロセッサ（Digital  Signal  Processor：ＤＳＰ）、複数のマイクロプロセッサ、ＤＳＰコアに関連付けられた１つまたは複数のマイクロプロセッサ、コントローラ、マイクロコントローラ、特定用途向け集積回路（Application  Specific  Integrated  Circuit：ＡＳＩＣ）、フィールドプログラマブルゲートアレイ（Field  Programmable  Gate  Array：ＦＰＧＡ）回路、任意の他のタイプの集積回路（Integrated  Circuit：ＩＣ）、状態マシンなどであってよい。プロセッサ１１８は、信号コーディング、データ処理、電力制御、入力／出力処理、またはＷＴＲＵ１０２が無線環境内で動作することを可能にする任意の他の機能性を実施してもよい。プロセッサ１１８は、伝送／受信要素１２２に連結されることがある、送受信機１２０に連結されてもよい。図９Ｆでは、別個のコンポーネントとしてプロセッサ１１８と送受信機１２０とを示しているが、プロセッサ１１８と送受信機１２０とが、電子パッケージまたはチップ内に一緒に統合されてもよいことを理解されよう。
【０１５９】
ＵＥの伝送／受信要素１２２は、エアインターフェース１１５／１１６／１１７を通して基地局（例えば、図９Ａの基地局１１４ａ）、またはエアインターフェース１１５ｄ／１１６ｄ／１１７ｄを通して別のＵＥへ信号を伝送する、またはそこから信号を受信するように構成される場合がある。例えば、伝送／受信要素１２２は、ＲＦ信号を伝送または受信するように構成されたアンテナであってもよい。伝送／受信要素１２２は、例えば、ＩＲ、ＵＶ、または可視光信号を伝送または受信するように構成されるエミッタ／検出器であってもよい。伝送／受信要素１２２は、ＲＦおよび光信号の両方を伝送および受信するように構成されてよい。伝送／受信要素１２２は、無線または有線信号の任意の組み合わせを伝送または受信するように構成されてもよいことを理解されよう。
【０１６０】
加えて、伝送／受信要素１２２は、単一の要素として図９Ｆで描写されているが、ＷＴＲＵ１０２は、任意の数の伝送／受信要素１２２を含んでもよい。より具体的には、ＷＴＲＵ１０２は、ＭＩＭＯ技術を採用してもよい。したがって、ＷＴＲＵ１０２は、エアインターフェース１１５／１１６／１１７を通して無線信号を伝送および受信するために、２つ以上の伝送／受信要素１２２（例えば、複数のアンテナ）を含んでもよい。
【０１６１】
送受信機１２０は、伝送／受信要素１２２によって伝送されることになる信号を変調し、かつ伝送／受信要素１２２によって受信される信号を復調するように構成されてよい。上記のように、ＷＴＲＵ１０２は、マルチモード能力を有する場合がある。したがって、送受信機１２０は、ＷＴＲＵ１０２が、複数のＲＡＴ、例えば、ＮＲおよびＩＥＥＥ８０２．１１、またはＮＲおよびＥ−ＵＴＲＡを介して通信するか、または異なるＲＲＨ、ＴＲＰ、ＲＳＵまたはノードへの複数のビームを介して同じＲＡＴと通信できるようにするために、複数の送受信機を含む場合がある。
【０１６２】
ＷＴＲＵ１０２のプロセッサ１１８は、スピーカ／マイクロホン１２４、キーパッド１２６、またはディスプレイ／タッチパッド／インジケータ１２８（例えば、液晶ディスプレイ（Liquid  Crystal  Display：ＬＣＤ）ディスプレイ装置または有機発光ダイオード（Organic  Light-Emitting  Diode：ＯＬＥＤ）ディスプレイ装置）に連結されて、そこからユーザ入力データを受信してもよい。プロセッサ１１８はまた、ユーザデータをスピーカ／マイクロホン１２４、キーパッド１２６、またはディスプレイ／タッチパッド／インジケータ１２８に出力してもよい。加えて、プロセッサ１１８は、非取り外し可能メモリ１３０または取り外し可能メモリ１３２などの任意のタイプの好適なメモリから情報にアクセスし、それの中にデータを記憶してもよい。非取り外し可能メモリ１３０としては、ランダムアクセスメモリ（Random-Access  Memory：ＲＡＭ）、読み取り専用メモリ（Read-Only  Memory  ：ＲＯＭ）、ハードディスク、または任意の他のタイプのメモリ記憶デバイスを挙げてもよい。取り外し可能メモリ１３２としては、加入者識別モジュール（Subscriber  Identity  Module：ＳＩＭ）カード、メモリスティック、セキュアデジタル（Secure  Digital：ＳＤ）メモリカードなどを挙げてもよい。プロセッサ１１８は、クラウドまたはエッジコンピューティングプラットフォームでホストされるサーバ、もしくはホームコンピュータ（図示せず）内など、ＷＴＲＵ１０２上に物理的に設置されていないメモリの情報にアクセスし、そこにデータを記憶してもよい。プロセッサ１１８は、本明細書に記載される一部の例において、ＮＲ−Ｕ用の無線リンク監視および無線リソース管理測定プロシージャのセットアップが成功したか、失敗したかに応じて、ディスプレイまたはインジケータ１２８上の点灯パターン、画像または色を制御するか、あるいは、ＮＲ−Ｕ用の無線リンク監視および無線リソース管理測定プロシージャおよび関連するコンポーネントの状態を示すように構成されてよい。ディスプレイまたはインジケータ１２８の点灯パターン、画像または色の制御は、本明細書で示すまたは論じる各図（例えば、図４から図６など）の方法フローまたはコンポーネントのいずれかの状態が反映される場合がある。ＮＲ−Ｕ用の無線リンク監視および無線リソース管理測定プロシージャのメッセージおよびプロシージャを本明細書で開示する。ユーザが、入力ソース（例えば、スピーカ／マイクロホン１２４、キーパッド１２６、またはディスプレイ／タッチパッド／インジケータ１２８）を介して、リソースを要求するため、かつ、とりわけ、ディスプレイ１２８に表示される場合があるＮＲ−Ｕ用の無線リンク監視および無線リソース管理測定プロシージャ関連情報を要求、構成または問い合わせするために、メッセージおよびプロシージャは、拡張されてインターフェース／ＡＰＩを提供してもよい。
【０１６３】
プロセッサ１１８は、電源１３４から電力を得てもよく、ＷＴＲＵ１０２内のその他のコンポーネントへの電力を分配または制御するように構成されてよい。電源１３４は、ＷＴＲＵ１０２に給電する任意の好適なデバイスであってよい。例えば、電源１３４は、１つまたは複数の乾電池、太陽電池、燃料電池などを含んでもよい。
【０１６４】
プロセッサ１１８はまた、ＷＴＲＵ１０２の現在位置に関する位置情報（例えば、経度および緯度）を提供するように構成されることがあるＧＰＳチップセット１３６に連結されてもよい。ＧＰＳチップセット１３６からの情報に加え、またはその代わりに、ＷＴＲＵ１０２は、エアインターフェース１１５／１１６／１１７を通して基地局（例えば、基地局１１４ａ、１１４ｂ）から位置情報を受信するか、または２つ以上の近傍基地局から受信されている信号のタイミングに基づいて、その場所を決定してもよい。ＷＴＲＵ１０２は、任意の好適な位置特定方法によって位置情報を取得してもよいことを理解されるであろう。
【０１６５】
プロセッサ１１８はさらに、追加の特徴、機能性、もしくは有線または無線コネクティビティを提供する１つまたは複数のソフトウェアまたはハードウェアモジュールを含む場合がある他の周辺機器１３８に連結されてもよい。例えば、周辺機器１３８は、加速度計、バイオメトリック（例えば、指紋）センサなどの種々のセンサ、ｅ−コンパス、衛星送受信機、デジタルカメラ（写真またはビデオ用）、ユニバーサルシリアルバス（Universal  Serial  Bus：ＵＳＢ）ポートまたは他の相互接続インターフェース、振動デバイス、テレビ送受信機、ハンズフリーヘッドセット、Ｂｌｕｅｔｏｏｔｈ（登録商標）モジュール、周波数変調（Frequency  Modulated：ＦＭ）無線ユニット、デジタル音楽プレーヤ、メディアプレーヤ、ビデオゲームプレーヤモジュール、インターネットブラウザなどを含んでもよい。
【０１６６】
ＷＴＲＵ１０２は、センサ、大衆消費電子製品、スマートウォッチまたはスマート衣類などのウェアラブルデバイス、医療またはｅ健康デバイス、ロボット、産業機器、ドローン、車、トラック、電車、または飛行機などの乗物などの他の装置もしくはデバイスに含まれてもよい。ＷＴＲＵ１０２は、周辺機器１３８のうちの１つを備えることがある相互接続インターフェースなどの１つまたは複数の相互接続インターフェースを介して、このような装置もしくはデバイスの他のコンポーネント、モジュール、またはシステムに接続してもよい。
【０１６７】
図９Ｇは、例示的コンピューティングシステム９０のブロック図である。このシステム内で、ＲＡＮ１０３／１０４／１０５、コアネットワーク１０６／１０７／１０９、ＰＳＴＮ１０８、インターネット１１０、他のネットワーク１１２、またはその他のネットワークサービス１１３内のある種のノードまたは機能エンティティなど、図９Ａ、図９Ｃ、図９Ｄ、および図９Ｅに例示される通信ネットワークの１つまたは複数の装置、ならびに、本明細書で論じ、かつ請求する、図４から図６に示されるシステムおよび方法など、ＮＲ−Ｕ用の無線リンク監視および無線リソース管理測定プロシージャが、具現化されてよい。コンピューティングシステム９０は、コンピュータまたはサーバを含み、かつコンピュータ可読命令によって主に制御されてよく、このコンピュータ可読命令は、ソフトウェアの形態であってもよく、このようなソフトウェアが記憶またはアクセスされる場所もしくは手段は、いかなるものであってもよい。このようなコンピュータ可読命令は、コンピューティングシステム９０を作動させるように、プロセッサ９１内で実行されてよい。プロセッサ９１は、汎用プロセッサ、特殊目的プロセッサ、従来のプロセッサ、デジタル信号プロセッサ（Digital  Signal  Processor：ＤＳＰ）、複数のマイクロプロセッサ、ＤＳＰコアに関連付けられた１つまたは複数のマイクロプロセッサ、コントローラ、マイクロコントローラ、特定用途向け集積回路（ＡＳＩＣ）、フィールドプログラマブルゲートアレイ（Field  Programmable  Gate  Array：ＦＰＧＡ）回路、任意の他のタイプの集積回路（Integrated  Circuit：ＩＣ）、状態マシンなどであってよい。プロセッサ９１は、信号コーディング、データ処理、電力制御、入力／出力処理、またはコンピューティングシステム９０が通信ネットワーク内で動作することを可能にする任意の他の機能性を実施してもよい。コプロセッサ８１は、主要プロセッサ９１とは明確に異なる、任意選択のプロセッサであり、追加の機能を実施するか、またはプロセッサ９１を支援することがある。プロセッサ９１またはコプロセッサ８１は、信号またはフレームの監視など、ＮＲ−Ｕ用の無線リンク監視および無線リソース管理測定プロシージャ向けに、本明細書に開示される方法および装置に関連するデータを、受信、生成、ならびに処理してよい。
【０１６８】
プロセッサ９１は、動作時に、命令をフェッチ、復号、および実行し、コンピューティングシステムの主要データ転送パスであるシステムバス８０を介して、情報を他のリソースへ転送し、かつ他のリソースから転送する。このようなシステムバスは、コンピューティングシステム９０内のコンポーネント同士を接続し、かつデータ交換向けの媒体を定義する。システムバス８０は、典型的には、データを送信するためのデータライン、アドレスを送信するためのアドレスライン、および割り込みを送信し、かつシステムバスを操作するための制御ラインを含む。このようなシステムバス８０の一例は、ＰＣＩ（周辺コンポーネント相互接続）バスである。
【０１６９】
システムバス８０に連結されるメモリは、ランダムアクセスメモリ（ＲＡＭ）８２および読み取り専用メモリ（ＲＯＭ）９３を含む。このようなメモリは、情報の記憶および読み出しを可能にする回路を含む。ＲＯＭ９３は、概して、容易に修正することができない記憶されたデータを含む。ＲＡＭ８２内に記憶されたデータは、プロセッサ９１または他のハードウェアデバイスによって読み取られる、もしくは変更されてよい。ＲＡＭ８２またはＲＯＭ９３へのアクセスは、メモリコントローラ９２によって制御されてよい。メモリコントローラ９２は、命令が実行されると、仮想アドレスを物理的アドレスに変換する、アドレス変換機能を提供する場合がある。メモリコントローラ９２はまた、システム内のプロセスを隔離し、かつユーザプロセスからシステムプロセスを隔離するメモリ保護機能を提供する場合がある。したがって、第１のモードで起動するプロフラムは、それ自体のプロセス仮想アドレス空間によってマップされているメモリのみにアクセスする場合があり、プロセス間のメモリ共有が設定されていない限り、別のプロセスの仮想アドレス空間内のメモリにアクセスすることはできない。
【０１７０】
加えて、コンピューティングシステム９０は、プロセッサ９１から、プリンタ９４、キーボード８４、マウス９５およびディスクドライブ８５などの周辺機器に命令を通信する役割を担う、周辺機器コントローラ８３を含んでもよい。
【０１７１】
ディスプレイコントローラ９６によって制御されるディスプレイ８６は、コンピューティングシステム９０によって生成される視覚出力を表示するために使用される。このような視覚出力は、テキスト、グラフィックス、動画グラフィックス、およびビデオを含んでよい。視覚出力は、グラフィカルユーザインターフェース（Graphical  User  Interface：ＧＵＩ）の形態で提供されてよい。ディスプレイ８６は、ＣＲＴベースのビデオディスプレイ、ＬＣＤベースのフラットパネルディスプレイ、ガスプラズマベースのフラットパネルディスプレイ、またはタッチパネルで実装される場合がある。ディスプレイコントローラ９６は、ディスプレイ８６に送信されるビデオ信号を生成するために必要とされる電子コンポーネントを含む。
【０１７２】
さらに、コンピューティングシステム９０は、図９Ａ、図９Ｂ、図９Ｃ、図２５Ｄまたは図２５ＥのＲＡＮ１０３／１０４／１０５、コアネットワーク１０６／１０７／１０９、ＰＳＴＮ１０８、インターネット１１０、ＷＴＲＵ１０２または他のネットワーク１１２などの外部通信ネットワークまたは装置に、コンピューティングシステム９０を接続するために使用されて、コンピューティングシステム９０がそれらのネットワークの他のノードまたは機能エンティティと通信できるようにする、例えば、無線または有線ネットワークアダプタ９７などの通信回路を含む場合がある。通信回路は、単独で、またはプロセッサ９１と組み合わせて、本明細書で記載されるある種の装置、ノード、または機能エンティティの伝送および受信ステップを実施するために使用されてよい。
【０１７３】
本明細書に記載される装置、システム、方法およびプロセスのうちいずれかまたは全ては、コンピュータ可読記憶媒体に記憶されたコンピュータ実行可能命令（例えば、プログラムコード）の形態で具現化される場合があり、その命令は、プロセッサ１１８または９１などのプロセッサによって実行されると、プロセッサに、本明細書に記載されるシステム、方法、およびプロセスを実施または実装させることを理解されたい。具体的には、本明細書に記載されるいずれのステップ、動作、または機能も、このようなコンピュータ実行可能命令の形態で実装され、無線または有線ネットワーク通信向けに構成された装置またはコンピューティングシステムのプロセッサで実行されてよい。コンピュータ可読記憶媒体は、情報の記憶のために、任意の非一時的（例えば、有形または物理的）方法もしくは技術に実装される揮発性および不揮発性媒体、取り外し可能および非取り外し可能媒体を含むが、このようなコンピュータ可読記憶媒体には、信号は含まれない。コンピュータ可読記憶媒体としては、ＲＡＭ、ＲＯＭ、ＥＥＰＲＯＭ、フラッシュメモリまたは他のメモリ技術、ＣＤ−ＲＯＭ、デジタル多用途ディスク（Digital  Versatile  Disk：ＤＶＤ）または他の光学ディスク記憶装置、磁気カセット、磁気テープ、磁気ディスク記憶デバイスまたは他の磁気記憶デバイス、もしくは所望の情報を記憶するために使用されてよく、かつコンピュータシステムによってアクセスされることがある任意の他の有形もしくは物理的媒体が挙げられるが、それらに限定されない。
【０１７４】
各図に示すような、本開示、ＮＲ−Ｕ用の無線リンク監視および無線リソース管理測定プロシージャの主題の好適な方法、システムまたは装置について説明する際に、明確にする目的で特定の用語が用いられる。しかし、請求される主題は、そのような選択された特定の用語に限定されることを意図するものではなく、また各特定の要素は、類似の目的を達成するために類似の方式で動作する全ての技術的等価物を含むことを理解されたい。
【０１７５】
本明細書に記載されている種々の技法は、ハードウェア、ファームウェア、ソフトウェア、または適切な場合はこれらの組み合わせと連携して実装されてもよい。このようなハードウェア、ファームウェア、およびソフトウェアは、通信ネットワークの種々のノードで配置される装置に常駐してもよい。本明細書に記載の方法を実施するために、装置は単独でまたは互いに連携して動作してもよい。本明細書で用いられる用語「装置」、「ネットワーク装置」、「ノード」、「デバイス」、「ネットワークノード」、などは、同じ意味で用いられる場合がある。加えて、単語「または」は、別段の定めがある場合を除き包括的に本明細書で全般的に使用される。
【０１７６】
本明細書は、最良の方式を含む本発明を開示するために、また当業者が任意のデバイスまたはシステムを作製かつ使用し、任意の組み込まれた方法を行うことを含む本発明を実践することを可能にするために、各例を使用する。本発明の特許性のある範囲は、特許請求の範囲によって定義され、かつ当業者に想起される他の例（例えば、本明細書に開示される各例示的方法の間で、ステップを省く、ステップを組み合わせる、またはステップを追加する）を含む場合がある。そのような他の例は、特許請求の範囲の文字通りの言葉とは異ならない構造要素を有する場合、または特許請求の範囲の文字通りの言葉とのごくわずかな差異を伴う同等の構造要素を含む場合、特許請求の範囲の範囲内であることを意図している。
【０１７７】
本明細書に記載される、方法、システムおよび装置は、特に、ＮＲ−Ｕ用の無線リンク監視および無線リソース管理測定プロシージャ向けの手段を提供することができる。方法、システム、コンピュータ可読記憶媒体、または装置は、１つまたは複数の構成された無線リンク監視参照信号（Radio  Link  Monitoring  Reference  Signal：ＲＬＭ−ＲＳ）リソースの参照信号に基づいて、下りリンク品質を監視することと、不具合無線リンク監視参照信号（ＲＬＭ−ＲＳ）伝送機会（ＴＸＯＰ）の数を監視すること（例えば、カウントすること）と、不具合ＲＬＭ−ＲＳ  ＴＸＯＰの監視された数と組み合わされた監視された下りリンクリンク品質に基づいて、（例えば、検出された）無線リンク障害（ＲＬＦ）を判断することと、を行う手段を有する。ＲＬＦが検出されると、ＵＥは、ＲＲＣ接続再確立プロシージャを開始してもよい。下りリンクリンク品質は、１つまたは複数のＲＬＭ参照信号に基づいてもよい。下りリンク無線リンク品質は、特定の参照信号に対して測定されてよい。ＵＥは、ＤＬに対してのみＲＬＭを実施してもよい。ＵＥは、下りリンク無線リンク品質を評価して、セルの下りリンク無線リンク品質を監視する目的で、それを閾値Ｑｏｕｔ（例えば、同期はずれ）およびＱｉｎ（同期中）と比較してもよい。一例では、Ｑｉｎは、それを超えると、同期中が宣言される閾値であり、Ｑｏｕｔはそれを下回ると、同期はずれが宣言される閾値である。ｇＮＢは、他の参照信号（例えば、ＵＬ品質を判断するＳＲＳまたはＤＭＲＳ）を使用してもよい。品質測定は、３ＧＰＰ仕様に従って定義されるようなＲＳＲＰまたはＲＳＲＱ測定に対応する場合がある。本パラグラフおよび以下のパラグラフ中の全ての組み合わせ（ステップの省略または追加を含む）は、発明を実施するための形態の他の部分と一致する手段で考えられるものである。
【０１７８】
方法、システム、コンピュータ可読記憶媒体、または装置は、同期中インジケーションまたは同期はずれインジケーションを監視することであって、該同期中インジケーションまたは該同期はずれインジケーションは、無線リンク品質に基づく、ことと、不具合無線リンク監視参照信号（ＲＬＭ−ＲＳ）伝送機会（ＴＸＯＰ）の数を監視することと、不具合ＲＬＭ−ＲＳ  ＴＸＯＰの監視された数と組み合わされた監視された同期中インジケーションまたは同期はずれインジケーションに基づいて、無線リンク障害（ＲＬＦ）を判断する（例えば、検出する）ことと、を行う手段を有する。不具合ＲＬＭ−ＲＳ  ＴＸＯＰの数を監視することは、発見参照信号、チャネルアクセスインジケーション、または別の信号に基づいてもよい。方法、システム、コンピュータ可読記憶媒体、または装置は、利用可能なライセンスバンド下りリンクがあるときに、ライセンスバンド下りリンクで取得された下りリンク制御情報（ＤＣＩ）に基づいて、ＲＬＭ−ＲＳ  ＴＸＯＰの間にアンライセンスチャネルが取得されたかどうかを検出すること、を行う手段を有する。不具合ＲＬＭ−ＲＳ  ＴＸＯＰの数を監視することは、無線リンク品質が評価される物理層のフレームに基づいてよい。不具合ＲＬＭ−ＲＳ  ＴＸＯＰの数を監視することは、ＴＥｖａｌｕａｔｅ＿ｍｉｓｓｅｄ＿ＴＸＯＰ期間の間に、ＮＭｉｓｓｅｄ＿ＴＸＯＰが受信されるタイミングに基づいてもよい。方法、システム、コンピュータ可読記憶媒体、または装置は、ＲＬＭ−ＲＳ  ＴＸＯＰに不具合があるとき、またはＲＬＭ−ＲＳが、ＲＬＭ−ＲＳ  ＴＸＯＰの間に伝送されたと検出されるときに、ＲＬＭ−ＲＳ  ＴＸＯＰに不具合があったというインジケーションを上位層に提供すること、を行う手段を有する。ＲＲＣは、上位層の例である。ＵＥまたはｇＮＢ内のピアＲＲＣエンティティ間のシグナリングは、ＲＲＣシグナリングと見なされる場合がある。方法、システム、コンピュータ可読記憶媒体、または装置は、ＮＭｉｓｓｅｄ＿ＴＸＯＰ連続不具合ＲＬＭ−ＲＳ  ＴＸＯＰを検出することに基づいて、タイマＴＥｖａｌｕａｔｅ＿ｍｉｓｓｅｄ＿ＴＸＯＰを作動させる（例えば、開始する）ことと、Ｎｄｅｔｅｃｔｅｄ＿ＴＸＯＰ連続ＲＬＭ−ＲＳ  ＴＸＯＰの間に、ＲＬＭ−ＲＳを検出することに基づいて、タイマＴＥｖａｌｕａｔｅ＿ｍｉｓｓｅｄ＿ＴＸＯＰを停止することと、タイマＴＥｖａｌｕａｔｅ＿ｍｉｓｓｅｄ＿ＴＸＯＰが停止されず、タイマＴＥｖａｌｕａｔｅ＿ｍｉｓｓｅｄ＿ＴＸＯＰが満了するときに、無線リンク障害があると判断することと、を行う手段を有する。ＴＥｖａｌｕａｔｅ＿ｍｉｓｓｅｄ＿ＴＸＯＰ、ＮＭｉｓｓｅｄ＿ＴＸＯＰ、またはＮｄｅｔｅｃｔｅｄ＿ＴＸＯＰは、ＲＲＣシグナリングによって、または別の上位層によってシグナリングされてよい。同期はずれインジケーションのうちの１つまたは複数は、不具合ＲＬＭ−ＲＳ  ＴＸＯＰのうち少なくとも１つが検出される可能性がある場合に、生成されてよい。タイマＴ３１２は、初期値が設定され、その後、カウントダウンされてよい。タイマの満了は、タイマがゼロ値に達することに対応してもよい。無線リンク障害を検出することは、さらに、Ｎ３１０連続同期��ずれインジケーションを受信することに基づいてよい。方法、システム、コンピュータ可読記憶媒体、または装置は、タイマＴＥｖａｌｕａｔｅ＿ｍｉｓｓｅｄ＿ＴＸＯＰが作動していない間に、不具合ＲＬＭ−ＲＳ  ＴＸＯＰを検出することに基づいて、タイマＴＥｖａｌｕａｔｅ＿ｍｉｓｓｅｄ＿ＴＸＯＰを開始することと、Ｎｄｅｔｅｃｔｅｄ＿ＴＸＯＰ連続ＲＬＭ−ＲＳ  ＴＸＯＰの間に、ＲＬＭ−ＲＳを検出することに基づいて、タイマＴＥｖａｌｕａｔｅ＿ｍｉｓｓｅｄ＿ＴＸＯＰを停止することと、タイマＴＥｖａｌｕａｔｅ＿ｍｉｓｓｅｄ＿ＴＸＯＰが停止されず、タイマＴＥｖａｌｕａｔｅ＿ｍｉｓｓｅｄ＿ＴＸＯＰが満了するときに、無線リンク障害があると判断することと、を行う手段を有する。無線リンク障害を検出することは、さらに、下位層からのＰＣｅｌｌに関する連続同期はずれインジケーションの最大数を受信することに基づいてもよい。方法、システム、コンピュータ可読記憶媒体、または装置は、上位層を使用して、同期はずれインジケーションのうち少なくとも１つを受信することに基づいて、カウンタＮ３１０をインクリメントすることと、最大値に到達するタイミングに基づいて、無線リンク障害を検出することと、Ｎ３１１連続同期中インジケーションを受信するときに、カウンタＮ３１０をリセットすることと、を行う手段を有する。方法、システム、コンピュータ可読記憶媒体、または装置は、ＲＬＭ−ＲＳ  ＴＸＯＰに不具合がある場合に、ＲＬＭ−ＲＳ  ＴＸＯＰに不具合があったというインジケーションを上位層に提供することを行う手段を有する。検出されたＲＬＭ−ＲＳ  ＴＸＯＰのインジケーションは、上位層に提供されてよい。ＴＥｖａｌｕａｔｅ＿ｍｉｓｓｅｄ＿ＴＸＯＰの満了時に、ＲＬＦは検出されてよい。ＴＥｖａｌｕａｔｅ＿ｍｉｓｓｅｄ＿ＴＸＯＰは、下位層からのＮＭｉｓｓｅｄ＿ＴＸＯＰ連続不具合ＲＬＭ−ＲＳ  ＴＸＯＰインジケーションの受信時に開始されてよく、また、下位層からのＮｄｅｔｅｃｔｅｄ＿ＴＸＯＰ連続ＲＬＭ−ＲＳ  ＴＸＯＰの間のＲＬＭ−ＲＳの検出のインジケーションの受信時に停止されてよい。ＴＥｖａｌｕａｔｅ＿ｍｉｓｓｅｄ＿ＴＸＯＰ期間内に受信された不具合ＲＬＭ−ＲＳ  ＴＸＯＰの数が、ＮＭｉｓｓｅｄ＿ＴＸＯＰよりも小さい場合であっても、監視は行われてよい。最大値は、同期はずれインジケーションの最大カウントに対応してもよい。カウンタＮ３１０は、同期はずれまたは同期中インジケーションが受信されるかどうかに基づいて、インクリメントされるかリセットされてよい。最大カウントに到達するときに、ＲＬＦは宣言されてよい。方法、システム、コンピュータ可読記憶媒体、または装置は、タイマＴＥｖａｌｕａｔｅ＿ｍｉｓｓｅｄ＿ＴＸＯＰが作動していない間に、不具合ＲＬＭ−ＲＳ  ＴＸＯＰを検出することに基づいて、タイマＴＥｖａｌｕａｔｅ＿ｍｉｓｓｅｄ＿ＴＸＯＰを開始することと、Ｎｄｅｔｅｃｔｅｄ＿ＴＸＯＰ連続ＲＬＭ−ＲＳ  ＴＸＯＰの間に、ＲＬＭ−ＲＳを検出することに基づいて、タイマＴＥｖａｌｕａｔｅ＿ｍｉｓｓｅｄ＿ＴＸＯＰを停止することと、タイマＴＥｖａｌｕａｔｅ＿ｍｉｓｓｅｄ＿ＴＸＯＰが作動しているときに、下位層からのＮＭｉｓｓｅｄ＿ＴＸＯＰ連続不具合ＲＬＭ−ＲＳ  ＴＸＯＰインジケーションを受信して、無線リンク障害があると判断することと、を行う手段を有する。このパラグラフの全ての組み合わせ（ステップの省略または追加を含む）は、発明を実施するための形態の他の部分と一致する手段で考えられるものである。
【図１】
2021533669.tif 000036
【図２】
2021533669.tif 000037
【図３】
2021533669.tif 000038
【図４】
2021533669.tif 000039
【図５】
2021533669.tif 000040
【図６】
2021533669.tif 000041
【図７】
2021533669.tif 000042
【図８】
2021533669.tif 000043
【図９Ａ】
2021533669.tif 000044
【図９Ｂ】
2021533669.tif 000045
【図９Ｃ】
2021533669.tif 000046
【図９Ｄ】
2021533669.tif 000047
【図９Ｅ】
2021533669.tif 000048
【図９Ｆ】
2021533669.tif 000049
【図９Ｇ】
2021533669.tif 000050
【国際調査報告】
2021533669.tif 000051
2021533669.tif 000052
2021533669.tif 000053
2021533669.tif 000054